(57)【特許請求の範囲】
【請求項１】
周波数リソース又は時間リソースの少なくとも一部が重複するリソースブロックが割り当てられる複数の信号の少なくとも一部に、少なくとも一部が共通化された送信パラメータを割り当てる割当部と、
前記割当部により割り当てられた前記共通化された送信パラメータを用いて前記複数の信号の送信処理を制御する通信制御部と、
を備え、
前記割当部は、前記複数の信号から選択した一の信号に割り当てられる送信パラメータに基づいて前記共通化された送信パラメータを割り当てる送信装置。
【請求項２】
前記割当部は、前記複数の信号の各々に割り当てられるデータチャネルの電力レベルが最も低い一の信号を選択する、請求項１に記載の送信装置。
【請求項３】
前記割当部は、前記共通化された送信パラメータとして、選択した一の信号に割り当てられる送信パラメータと同一の送信パラメータを割り当てる、請求項１に記載の送信装置。
【請求項４】
前記割当部は、選択した信号以外の信号に、前記共通化された送信パラメータとして所定の送信パラメータを割り当てる、請求項１に記載の送信装置。
【請求項５】
周波数リソース又は時間リソースの少なくとも一部が重複するリソースブロックが割り当てられる複数の信号の少なくとも一部に、少なくとも一部が共通化された送信パラメータを割り当てる割当部と、
前記割当部により割り当てられた前記共通化された送信パラメータを用いて前記複数の信号の送信処理を制御する通信制御部と、
を備え、
前記通信制御部は、割り当てられる電力レベルに基づいて送信データの再送制御を行う送信装置。
【請求項６】
前記通信制御部は、割り当てられる電力レベルが最も低いデータチャネルを用いて初回送信又は再送の送信データを送信する、請求項５に記載の送信装置。
【請求項７】
前記通信制御部は、割り当てられる電力レベルが最も低いデータチャネル以外のデータチャネルを用いて初回送信の送信データを送信する、請求項５に記載の送信装置。
【請求項８】
周波数リソース又は時間リソースの少なくとも一部が重複するリソースブロックが割り当てられる複数の信号の少なくとも一部に、少なくとも一部が共通化された送信パラメータを割り当てる割当部と、
前記割当部により割り当てられた前記共通化された送信パラメータを用いて前記複数の信号の送信処理を制御する通信制御部と、
を備え、
前記通信制御部は、割り当てられる電力レベルに基づいて送信データの誤り訂正符号化又はレートマッチングに用いられるＲＶ（Redundancy  Version）の設定を行う送信装置。
【請求項９】
前記通信制御部は、割り当てられる電力レベルが最も低いデータチャネルを用いて送信する送信データに、初回送信時又は再送時のＲＶを用いる、請求項８に記載の送信装置。
【請求項１０】
前記通信制御部は、割り当てられる電力レベルが最も低いデータチャネル以外のデータチャネルを用いて送信する送信データに、初回送信時のＲＶを用いる、請求項８に記載の送信装置。
【請求項１１】
周波数リソース又は時間リソースの少なくとも一部が重複するリソースブロックが割り当てられる複数の信号の少なくとも一部に、少なくとも一部が共通化された送信パラメータを割り当てる割当部と、
前記割当部により割り当てられた前記共通化された送信パラメータを用いて前記複数の信号の送信処理を制御する通信制御部と、
を備え、
前記割当部は、前記共通化された送信パラメータとして、割り当てられる電力レベルが高い信号に、当該信号よりも割り当てられる電力レベルが低い他の信号に割り当てられるリソースブロックを含むリソースブロックを割り当てる送信装置。
【請求項１２】
周波数リソース又は時間リソースの少なくとも一部が重複するリソースブロックが割り当てられる複数の信号の少なくとも一部に、少なくとも一部が共通化された送信パラメータを割り当てる割当部と、
前記割当部により割り当てられた前記共通化された送信パラメータを用いて前記複数の信号の送信処理を制御する通信制御部と、
を備え、
前記割当部は、前記共通化された送信パラメータとして、同一の空間多重のためのプリコーダを割り当てる送信装置。
【請求項１３】
周波数リソース又は時間リソースの少なくとも一部が重複するリソースブロックが割り当てられる複数の信号の少なくとも一部に、少なくとも一部が共通化された送信パラメータを割り当てる割当部と、
前記割当部により割り当てられた前記共通化された送信パラメータを用いて前記複数の信号の送信処理を制御する通信制御部と、
を備え、
前記通信制御部は、前記共通化された送信パラメータが割り当てられる複数の信号のうち一部に、他の一部と異なるフォーマットの制御情報を用いる送信装置。
【請求項１４】
前記通信制御部は、信号に割り当てられる電力レベルに応じたフォーマットの制御情報を用いる、請求項１３に記載の送信装置。
【請求項１５】
前記通信制御部は、割り当てられる電力レベルが最大でない信号に、干渉除去処理を実行すべきことを示す情報を含むフォーマットの制御情報を用いる、請求項１３に記載の送信装置。
【請求項１６】
自身宛ての信号に割り当てられた周波数リソース又は時間リソースの少なくとも一部が重複するリソースブロックが割り当てられた他の通信装置宛ての信号に、少なくとも一部が共通化された送信パラメータが用いられたことを判定する判定部と、
前記判定部による判定結果に基づいて他の通信装置宛ての信号を対象とする干渉除去処理を制御する通信制御部と、
を備え、
前記判定部は、制御情報のフォーマットに基づいて判定する受信装置。
【請求項１７】
前記通信制御部は、制御情報に干渉除去処理を実行すべきことを示す情報が含まれる場合に、干渉除去処理を実行する、請求項１６に記載の受信装置。
【請求項１８】
前記判定部は、自身に割り当てられたデータチャネルの電力レベルに基づいて判定する、請求項１６に記載の受信装置。
【請求項１９】
周波数リソース又は時間リソースの少なくとも一部が重複するリソースブロックが割り当てられる複数の信号の少なくとも一部に、少なくとも一部を共通化された送信パラメータを割り当てることと、
割り当てられた前記共通化された送信パラメータを用いて前記複数の信号の送信処理を制御することと、
を含み、
前記割り当てることは、前記複数の信号から選択した一の信号に割り当てられる送信パラメータに基づいて前記共通化された送信パラメータを割り当てることを含むプロセッサにより実行される送信方法。
【請求項２０】
自身宛ての信号に割り当てられた周波数リソース又は時間リソースの少なくとも一部が重複するリソースブロックが割り当てられた他の通信装置宛ての信号に、少なくとも一部が共通化された送信パラメータが用いられたことを制御情報のフォーマットに基づいて判定することと、
判定結果に基づいて前記他の通信装置宛ての信号を対象とする干渉除去処理を制御することと、
を含むプロセッサにより実行される受信方法。
【請求項２１】
コンピュータを、
周波数リソース又は時間リソースの少なくとも一部が重複するリソースブロックが割り当てられる複数の信号の少なくとも一部に、少なくとも一部を共通化された送信パラメータを割り当てる割当部と、
前記割当部により割り当てられた前記共通化された送信パラメータを用いて前記複数の信号の送信処理を制御する通信制御部と、
として機能させ、
前記割当部は、前記複数の信号から選択した一の信号に割り当てられる送信パラメータに基づいて前記共通化された送信パラメータを割り当てるプログラム。
【請求項２２】
コンピュータを、
自身宛ての信号に割り当てられた周波数リソース又は時間リソースの少なくとも一部が重複するリソースブロックが割り当てられた他の通信装置宛ての信号に、少なくとも一部が共通化された送信パラメータが用いられたことを制御情報のフォーマットに基づいて判定する判定部と、
前記判定部による判定結果に基づいて前記他の通信装置宛ての信号を対象とする干渉除去処理を制御する通信制御部と、
として機能させるためのプログラム。
【発明の詳細な説明】
【技術分野】
【０００１】
本開示は、受信装置、送信装置、受信方法、送信方法及びプログラムに関する。
【背景技術】
【０００２】
ＬＴＥ（Long  Term  Evolution）／ＬＴＥ−Ａ（Advanced）に続く第５世代（５Ｇ）移動体通信システムの無線アクセス技術（Radio  Access  Technology：ＲＡＴ）として、非直交多元接続（Non-Orthogonal  Multiple  Access）が注目されている。ＬＴＥにおいて採用されているＯＦＤＭＡ（Orthogonal  Frequency-Division  Multiple  Access）及びＳＣ−ＦＤＭＡ（Single-Carrier  Frequency-Division  Multiple  Access）では、無線リソース（例えば、リソースブロック）は、重複なくユーザに割り当てられる。これらの方式は、直交多元接続と呼ばれ得る。一方、非直交多元接続では、無線リソースは、重複してユーザに割り当てられる。非直交多元接続では、ユーザの信号が互いに干渉するが、受信側における高精度な復号処理によりユーザごとの信号が取り出される。非直交多元接続は、理論的には、直交多元接続よりも高いセル通信容量を実現することが可能である。
【０００３】
非直交多元接続に分類される無線アクセス技術の１つとして、ＳＰＣ（Superposition  Coding）多重化／多元接続が挙げられる。ＳＰＣは、異なる電力が割り当てられた信号を少なくとも一部が重複する周波数及び時間の無線リソース上で多重化する方式である。受信側では、同一の無線リソース上で多重化された信号の受信／復号のために、干渉除去（Interference  Cancellation）及び／又は繰返し検出などが行われる。
【０００４】
例えば、特許文献１及び２には、ＳＰＣ又はＳＰＣに準ずる技術として、適切な復調／復号を可能にする振幅（又は電力）の設定の手法が開示されている。また、例えば、特許文献３には、多重化された信号を受信するためのＳＩＣ（Successive  Interference  Cancellation）の高度化の手法が開示されている。
【先行技術文献】
【特許文献】
【０００５】
【特許文献１】特開２００３−７８４１９号公報
【特許文献２】特開２００３−２２９８３５号公報
【特許文献３】特開２０１３−２４７５１３号公報
【発明の概要】
【発明が解決しようとする課題】
【０００６】
しかし、電力割当てを用いて（例えば、ＳＰＣを用いて）データ信号が多重化される場合には、当該データ信号を受信する通信装置は、多重化信号に含まれる他の通信装置宛てのデータ信号に用いられた送信パラメータを知らなければ、当該データを適切に復号することが困難である。
【０００７】
そこで、電力割当てを用いた多重化が行われる場合にデータ信号を適切に復号することを可能にする仕組みが提供されることが望ましい。
【課題を解決するための手段】
【０００８】
本開示によれば、周波数リソース又は時間リソースの少なくとも一部が重複するリソースブロックが割り当てられる複数の信号の少なくとも一部に、少なくとも一部が共通化された送信パラメータを割り当てる割当部と、前記割当部により割り当てられた前記共通化された送信パラメータを用いて前記複数の信号の送信処理を制御する通信制御部と、を備える送信装置が提供される。
【０００９】
また、本開示によれば、自身宛ての信号に割り当てられた周波数リソース又は時間リソースの少なくとも一部が重複するリソースブロックが割り当てられた他の通信装置宛ての信号に、少なくとも一部が共通化された送信パラメータが用いられたことを判定する判定部と、前記判定部による判定結果に基づいて他の通信装置宛ての信号を対象とする干渉除去処理を制御する通信制御部と、を備える受信装置が提供される。
【００１０】
また、本開示によれば、周波数リソース又は時間リソースの少なくとも一部が重複するリソースブロックが割り当てられる複数の信号の少なくとも一部に、少なくとも一部を共通化された送信パラメータを割り当てることと、割り当てられた前記共通化された送信パラメータを用いて前記複数の信号の送信処理を制御することと、を含むプロセッサにより実行される送信方法が提供される。
【００１１】
また、本開示によれば、自身宛ての信号に割り当てられた周波数リソース又は時間リソースの少なくとも一部が重複するリソースブロックが割り当てられた他の通信装置宛ての信号に、少なくとも一部が共通化された送信パラメータが用いられたことを判定することと、判定結果に基づいて前記他の通信装置宛ての信号を対象とする干渉除去処理を制御することと、を含むプロセッサにより実行される受信方法が提供される。
【００１２】
また、本開示によれば、コンピュータを、周波数リソース又は時間リソースの少なくとも一部が重複するリソースブロックが割り当てられる複数の信号の少なくとも一部に、少なくとも一部を共通化された送信パラメータを割り当てる割当部と、前記割当部により割り当てられた前記共通化された送信パラメータを用いて前記複数の信号の送信処理を制御する通信制御部と、として機能させるためのプログラムが提供される。
【００１３】
また、本開示によれば、コンピュータを、自身宛ての信号に割り当てられた周波数リソース又は時間リソースの少なくとも一部が重複するリソースブロックが割り当てられた他の通信装置宛ての信号に、少なくとも一部が共通化された送信パラメータが用いられたことを判定する判定部と、前記判定部による判定結果に基づいて前記他の通信装置宛ての信号を対象とする干渉除去処理を制御する通信制御部と、として機能させるためのプログラムが提供される。
【発明の効果】
【００１４】
以上説明したように本開示によれば、電力割当てを用いた多重化が行われる場合にデータ信号を適切に復号することが可能になる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】ＳＰＣをサポートする送信装置における処理の一例を説明するための第１の説明図である。
【図２】ＳＰＣをサポートする送信装置における処理の一例を説明するための第２の説明図である。
【図３】ＳＰＣをサポートする送信装置における処理の一例を説明するための第３の説明図である。
【図４】干渉除去を行う受信装置における処理の一例を説明するための説明図である。
【図５】干渉除去を行う受信装置における処理の一例を説明するための説明図である。
【図６】本開示の実施形態に係るシステム１の概略的な構成の一例を示す説明図である。
【図７】本実施形態に係る基地局の論理的な構成の一例を示すブロック図である。
【図８】本実施形態に係る端末装置の論理的な構成の一例を示すブロック図である。
【図９】本実施形態に係る基地局において実行される送信パラメータの割り当て処理の流れの一例を示すフローチャートである。
【図１０】本実施形態に係る送信パラメータの割り当て処理を説明するための図である。
【図１１】本実施形態に係る基地局において実行される送信パラメータの割り当て処理の流れの一例を示すフローチャートである。
【図１２】本実施形態に係る端末装置において実行される干渉除去処理の流れの一例を示すフローチャートである。
【図１３】本実施形態に係る基地局において実行される送信パラメータの割り当て処理の流れの一例を示すフローチャートである。
【図１４】本実施形態に係る端末装置において実行される干渉除去処理の流れの一例を示すフローチャートである。
【図１５】本実施形態に係る基地局において実行される送信パラメータの割り当て処理の流れの一例を示す図である。
【図１６】本実施形態に係る送信パラメータの割り当て例を説明するための図である。
【図１７】本実施形態に係る送信パラメータの割り当て例を説明するための図である。
【図１８】本実施形態に係る送信パラメータの割り当て例を説明するための図である。
【図１９】本実施形態に係る送信パラメータの割り当て例を説明するための図である。
【図２０】本実施形態に係る送信パラメータの割り当て例を説明するための図である。
【図２１】本実施形態に係る送信パラメータの割り当て例を説明するための図である。
【図２２】本実施形態に係る送信パラメータの割り当て例を説明するための図である。
【図２３】本実施形態に係る送信パラメータの割り当て例を説明するための図である。
【図２４】本実施形態に係る送信パラメータの割り当て例を説明するための図である。
【図２５】本実施形態に係る送信パラメータの割り当て例を説明するための図である。
【図２６】本実施形態に係る送信パラメータの割り当て例を説明するための図である。
【図２７】本実施形態に係る送信パラメータの割り当て例を説明するための図である。
【図２８】本実施形態に係る端末装置において実行される受信処理の流れの一例を示すフローチャートである。
【図２９】本実施形態に係るＤＣＩのフォーマットの使い分けの例を説明するための図である。
【図３０】本実施形態に係る送信パラメータの通知例を説明するための図である。
【図３１】ｅＮＢの概略的な構成の第１の例を示すブロック図である。
【図３２】ｅＮＢの概略的な構成の第２の例を示すブロック図である。
【図３３】スマートフォンの概略的な構成の一例を示すブロック図である。
【図３４】カーナビゲーション装置の概略的な構成の一例を示すブロック図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．はじめに
１．１．ＳＰＣ
１．２．制御情報
２．システムの概略的な構成
３．各装置の構成
３．１．基地局の構成
３．２．端末装置の構成
４．技術的特徴
４．１．送信パラメータの制限
４．２．送信パラメータの割り当て例
４．３．新たなＤＣＩのフォーマット例１
４．４．新たなＤＣＩのフォーマット例２
５．応用例
６．まとめ
【００１８】
＜＜１．はじめに＞＞
＜１．１．ＳＰＣ＞
図１〜図４を参照して、ＳＰＣの処理及び信号を説明する。
【００１９】
（１）送受信処理
（ａ）送信装置における処理
図１〜図３は、ＳＰＣをサポートする送信装置における処理の一例を説明するための説明図である。図１を参照すると、例えば、ユーザＡ、ユーザＢ及びユーザＣの各々のビットストリーム（例えば、トランスポートブロック）が処理される。これらのビットストリームの各々について、いくつかの処理（例えば、図２に示されるような）ＣＲＣ（Cyclic  Redundancy  Check）符号化、ＦＥＣ（Forward  Error  Correction）符号化、レートマッチング及びスクランブリング／インターリービング）が行われ、その後変調が行われる。そして、レイヤマッピング、電力割当て、プリコーディング、ＳＰＣ多重、リソースエレメントマッピング、ＩＤＦＴ（Inverse  Discrete  Fourier  Transform）／ＩＦＦＴ（Inverse  Fast  Fourier  Transform）、ＣＰ（Cyclic  Prefix）挿入、並びに、デジタルからアナログ及びＲＦ（Radio  Frequency）への変換などが行われる。
【００２０】
とりわけ、電力割当てにおいて、ユーザＡ、ユーザＢ及びユーザＣの各々の信号に電力が割り当てられ、ＳＰＣ多重化において、ユーザＡ、ユーザＢ及びユーザＣの信号が多重化される。
【００２１】
（ｂ）受信装置における処理
図４及び図５は、干渉除去を行う受信装置における処理の一例を説明するための説明図である。図４を参照すると、例えば、ＲＦ及びアナログからデジタルへの変換、ＣＰ除去（removal）、ＤＦＴ（Discrete  Fourier  Transform）／ＦＦＴ（Fast  Fourier  Transform）、並びに、ジョイント干渉除去、等化及び復号などが行われる。ジョイント干渉除去においては、例えば、図５に示されるような、チャネル推定（Channel  Estimation）、チャネル等化（Channel  Equalization）、ソフトデマッピング（Soft  Demapping）、空間デマッピング（Spatial  Demapping）、デスクランブリング（Descrambling）及び／又はデインタリービング（Deinterleaving）、ＦＥＣ復号化（FEC  Decoding）、ソフト干渉レプリカ生成（Soft  Interference  Replica  Generation）及びソフト干渉除去（Soft  Interference  Cancellation）などが行われることで、ＳＩＣ処理が行われる。その結果、ユーザＡ、ユーザＢ及びユーザＣの各々のビットストリーム（例えば、トランスポートブロック）が得られる。
【００２２】
（２）送信信号及び受信信号
（ａ）ダウンリンク
次に、ＳＰＣが採用される場合のダウンリンクの送信信号及び受信信号を説明する。ここでは、ＨｅｔＮｅｔ（Heterogeneous  Network）又はＳＣＥ（Small  Cell  Enhancement）などのマルチセルシステムを想定する。
【００２３】
対象のユーザｕが接続するセルのインデックスをｉで表し、当該セルに対応する基地局の送信アンテナの数をＮＴＸ，ｉで表す。当該送信アンテナの各々は、送信アンテナポートとも呼ばれ得る。セルｉからユーザｕへの送信信号は、以下のようにベクトル形式で表されることが可能である。
【００２４】
【数１】
0006586762.tif 000002
【００２５】
【数２】
0006586762.tif 000003
【００２６】
【数３】
0006586762.tif 000004
【００２７】
【数４】
0006586762.tif 000005
【００２８】
上述した式において、ＮＳＳ，ｕは、ユーザｕについての空間送信ストリーム数である。基本的には、ＮＳＳ，ｕは、ＮＴＸ，ｉ以下の正の整数である。ベクトルｘｉ，ｕは、ユーザｕへの空間ストリーム信号である。このベクトルの各要素は、基本的には、ＰＳＫ（Phase  Shift  Keying）又はＱＡＭ（Quadrature  Amplitude  Modulation）などのデジタル変調シンボルに相当する。行列Ｗｉ，ｕは、ユーザｕについてのプリコーディング行列である。この行列内の要素は、基本的には複素数であるが、実数であってもよい。
【００２９】
行列Ｐｉ，ｕは、セルｉにおけるユーザｕのための電力割当て係数行列である。この行列では、各要素が正の実数であることが望ましい。なお、この行列は、以下のような対角行列（即ち、対角成分以外が０である行列）であってもよい。
【００３０】
【数５】
0006586762.tif 000006
【００３１】
空間ストリームについて適応的な電力割当てが行われない場合には、行列Ｐｉ，ｕの代わりに、スカラ値Ｐｉ，ｕが用いられてもよい。
【００３２】
セルｉには、ユーザｕのみではなく他のユーザｖも存在し、他のユーザｖの信号ｓｉ，ｖも、同一の無線リソースで送信される。これらの信号は、ＳＰＣにより多重化される。多重化後のセルｉからの信号ｓｉは、以下のように表される。
【００３３】
【数６】
0006586762.tif 000007
【００３４】
上述した式において、Ｕｉは、セルｉにおいて多重化されるユーザの集合である。ユーザｕのサービングセル以外のセルｊ（ユーザｕにとっての干渉源となるセル）でも、同様に送信信号ｓｊが生成される。ユーザ側では、このような信号が干渉として受信される。ユーザｕの受信信号ｒｕは、以下のように表されることが可能である。
【００３５】
【数７】
0006586762.tif 000008
【００３６】
【数８】
0006586762.tif 000009
【００３７】
【数９】
0006586762.tif 000010
【００３８】
上述した式において、行列Ｈｕ，ｉは、セルｉ及びユーザｕについてのチャネル応答行列である。行列Ｈｕ，ｉの各要素は、基本的には複素数である。ベクトルｎｕは、ユーザｕの受信信号ｒｕに含まれる雑音である。例えば、当該雑音は、熱雑音、及び他のシステムからの干渉などを含む。雑音の平均電力は、以下のように表される。
【００３９】
【数１０】
0006586762.tif 000011
【００４０】
受信信号ｒｕは、以下のように、所望信号と他の信号とにより表されることも可能である。
【００４１】
【数１１】
0006586762.tif 000012
【００４２】
上述した式において、右辺の第１項は、ユーザｕの所望信号、第２項は、ユーザｕのサービングセルｉ内の干渉（セル内干渉（intra-cell  interference）、又は、マルチユーザ干渉若しくはマルチアクセス干渉などと呼ばれる）、第３項は、セルｉ以外のセルからの干渉（セル間干渉（inter-cell  interference）と呼ばれる）である。
【００４３】
なお、直交多元接続（例えば、ＯＦＤＭＡ又はＳＣ−ＦＤＭＡ）などが採用される場合には、受信信号は、以下のように表されることが可能である。
【００４４】
【数１２】
0006586762.tif 000013
【００４５】
直交多元接続では、セル内干渉がなく、また、他のセルｊにおいても他のユーザｖの信号が同一の無線リソースにおいて多重化されない。
【００４６】
（ｂ）アップリンク
次に、ＳＰＣが採用される場合のアップリンクの送信信号及び受信信号を説明する。ここでは、ＨｅｔＮｅｔ又はＳＣＥなどのマルチセルシステムを想定する。なお、信号などを表す記号として、ダウンリンクについて用いられた記号を流用する。
【００４７】
セルｉにおいてユーザｕが送信する送信信号は、以下のようにベクトル形式で表されることが可能である。
【００４８】
【数１３】
0006586762.tif 000014
【００４９】
【数１４】
0006586762.tif 000015
【００５０】
【数１５】
0006586762.tif 000016
【００５１】
【数１６】
0006586762.tif 000017
【００５２】
上述した式において、送信アンテナ数は、ユーザの送信アンテナの数ＮＴＸ，ｕである。セルｉにおけるユーザｕのための電力割当て係数行列である行列Ｐｉ，ｕは、ダウンリンクのケースと同様に、対角行列であってもよい。
【００５３】
アップリンクでは、ユーザ内で、当該ユーザの信号と他のユーザの信号とを多重化することはないので、セルｉの基地局の受信信号は、以下のように表されることが可能である。
【００５４】
【数１７】
0006586762.tif 000018
【００５５】
【数１８】
0006586762.tif 000019
【００５６】
【数１９】
0006586762.tif 000020
【００５７】
ダウンリンクのケースとは異なり、アップリンクのケースでは、基地局は、セル内の複数のユーザからの信号を全て復号することが必要であるという点に留意すべきである。さらに、チャネル応答行列がユーザによって異なるという点も留意が必要である。
【００５８】
とりわけ、セルｉ内のアップリンク信号の中でも、ユーザｕにより送信される信号に着目すると、受信信号は、以下のように表されることが可能である。
【００５９】
【数２０】
0006586762.tif 000021
【００６０】
上述した式において、右辺の第１項は、ユーザｕの所望信号、第２項は、ユーザｕのサービングセルｉ内の干渉（セル内干渉、又は、マルチユーザ干渉若しくはマルチアクセス干渉などと呼ばれる）、第３項は、セルｉ以外のセルからの干渉（セル間干渉と呼ばれる）である。
【００６１】
なお、直交多元接続（例えば、ＯＦＤＭＡ又はＳＣ−ＦＤＭＡ）などが採用される場合には、受信信号は、以下のように表されることが可能である。
【００６２】
【数２１】
0006586762.tif 000022
【００６３】
直交多元接続では、セル内干渉がなく、また、他のセルｊにおいても他のユーザｖの信号が同一の無線リソースにおいて多重化されない。
【００６４】
（３）受信信号処理
次に、ＳＰＣが採用される場合の受信信号処理を説明する。ここでは、ダウンリンクにおいて、受信装置が逐次型干渉除去（SIC：Successive  Interference  Cancellation）を採用する場合の受信信号処理を説明する。また、ＳＰＣを用いた多重数を２（即ち、Ｕ＝２）とし、対象の受信装置をユーザ０とし、多重される他の受信装置をユーザ１とする。即ち、ユーザ０は、受信信号からＳＩＣによりユーザ１宛ての信号を除去することで、ユーザ０宛ての信号を取得する。
【００６５】
なお、ＳＩＣにおいては、受信装置は、自身宛ての信号よりも受信電力が高い他の装置宛ての信号を対象として干渉除去し、自身宛ての信号よりも受信電力が低い他の装置宛ての信号は雑音成分として無視する。即ち、受信装置は、自身宛ての信号よりも受信電力が高い他の装置宛ての信号を対象として干渉除去処理を行う。
【００６６】
上記数式１１は、以下のように表されることが可能である。
【００６７】
【数２２】
0006586762.tif 000023
【００６８】
上述した式において、右辺の第１項は、ユーザ０（即ち、受信装置）の所望信号、第２項は、ユーザ０のサービングセルｉ内の干渉（セル内干渉（intra-cell  interference）、又は、マルチユーザ干渉若しくはマルチアクセス干渉などと呼ばれる）、第３項は、セルｉ以外のセルからの干渉（セル間干渉（inter-cell  interference）と呼ばれる）である。上述した式に含まれる等価的なチャネル応答行列は、以下のように表される。
【００６９】
【数２３】
0006586762.tif 000024
【００７０】
上述した等価的なチャネル応答行列は、ユーザｕとセルｉの基地局との間の、純粋な無線区間のチャネル応答行列、及び送信信号で適用されたプリコーディング行列などの影響を含む。
【００７１】
ユーザ０は、まず、ＳＰＣによるセル内干渉成分であるユーザ１の信号を復号することを試みる。そのために、ユーザ０は、次式で示すように、ユーザ１の信号を対象としたチャネル等化（Channel  Equalization）を実施する。
【００７２】
【数２４】
0006586762.tif 000025
【００７３】
上述した式において、Ｆｉ，ｖは、ユーザｖの信号のためのチャネル等化フィルタ行列である。この行列は、例えば、参照信号（RS：Reference  Signal)を用いたチャネル推定（Channel  Estimation）の結果から、ＺＦ（Zero-Forcing）規範又はＭＭＳＥ（Minimum  Mean  Square  Error）規範にしたがって生成され得る。
【００７４】
上述した式において、左辺は、等化出力である。等化出力は、ユーザ１の信号に適用されている変調方式、スクランブル、インタリーブ、誤り訂正符号及び符号化率にしたがって復号される。そして、ユーザ０は、誤り訂正復号器の復号出力あるいは復号経過の対数尤度比（LLR：Log  Likelihood  Ratio）を用いて、ユーザ１宛ての信号によるユーザ０宛ての信号への干渉成分のレプリカを生成する。
【００７５】
ここで、このレプリカは、送信ビット系列などの硬判定結果から生成されるハード干渉レプリカでもよいし、ＬＬＲに基づく送信シンボル確率から生成されるソフト干渉レプリカでもよい。特性の観点では、ソフト干渉レプリカが用いられることが望ましい。
【００７６】
ユーザ０は、次式に示すように、生成した干渉レプリカを受信信号から除去（例えば、減算）する。
【００７７】
【数２５】
0006586762.tif 000026
【００７８】
上述した式において、右辺の第２項は、干渉レプリカである。
【００７９】
ここで、理想的な干渉レプリカが生成された場合には、次式が成立する。
【００８０】
【数２６】
0006586762.tif 000027
【００８１】
ユーザ０は、この干渉除去後の受信信号に対して、次式に示すように、ユーザ０のためのチャネル等化を行う。
【００８２】
【数２７】
0006586762.tif 000028
【００８３】
上述した式において、左辺は等化出力である。この等化出力は、ユーザ０の信号に適用されている変調方式、スクランブル、インタリーブ、誤り訂正符号及び符号化率にしたがって復号される。
【００８４】
以上説明した受信信号処理により、ユーザ０の受信装置において、ＳＰＣ多重された信号から自身宛ての信号を復調及び復号することが可能となる。
【００８５】
＜１．２．制御情報＞
続いて、基地局１００と端末装置２００との間で送受信される制御情報について説明する。ここでは、その一例として、セルラーシステムにおいて基地局１００から端末装置２００へ送信される制御情報であるＤＣＩ（Downlink  Control  Information）について説明する。
【００８６】
ＤＣＩには、例えば、送信信号に用いられる送信パラメータ（transmission  parameter）を示す情報が含まれる。送信パラメータは、例えば基地局１００によるスケジューリングによって端末装置２００の各々に、より詳しくは端末装置２００の各々が送受信する信号（データチャネル）に割り当てられた無線リソース（例えば、周波数リソース、時間リソース又はＲＢ（Resource  Block）等）を示す情報等を含む。他にも、送信パラメータは、電力レベル（即ち、電力レイヤ）、スクランブル、インタリーブ、誤り訂正符号及び符号化率等を示す情報を含み得る。受信装置は、自身に割り当てられた送信パラメータを制御情報（例えば、ＤＣＩ）により取得することで、自身宛ての信号を適切に取得することが可能となる。なお、周波数リソースとは、例えばサブキャリア、リソースブロック、サブバンド又はコンポーネントキャリア等を指すものとする。また、時間リソースとは、例えばシンボル、スロット、サブフレーム、リソースプール又は無線フレーム等を指すものとする。
【００８７】
ここで、無線リソース及び電力レベル等の送信パラメータの割り当て対象は多様に考えられる。例えば、送信パラメータは、複数の信号の各々に割り当てられてもよい。例えば、電力割り当てにおいて、複数の信号の各々に電力が割り当てられ、ＳＰＣ多重化において、複数の信号が多重化されてもよい。また、送信パラメータは、複数のチャネルの各々に割り当てられてもよい。例えば、電力割り当てにおいて、データチャネル、制御チャネル及びブロードキャストチャネルの各々に電力が割り当てられ、ＳＰＣ多重化において、複数のチャネルが多重化されてもよい。また、送信パラメータは、複数のユーザ（端末装置２００）の各々に割り当てられてもよい。例えば、ユーザＡ、ユーザＢ及びユーザＣの各々の信号（又はデータチャネル、制御チャネル若しくはブロードキャストチャネル）に電力が割り当てられ、ＳＰＣ多重化において、ユーザＡ、ユーザＢ及びユーザＣの信号が多重化されてもよい。本明細書では、送信パラメータの割り当て対象を信号、データチャネル、又はユーザ等として説明するが、その使い分けは本技術を限定するものではない。例えば、以下の説明において、送信パラメータの割り当て対象を信号、データチャネル又はユーザ等に適宜読み替えてもよい。
【００８８】
ＤＣＩは、複数のフォーマットが定義されており、アップリンク用、ダウンリンク用、送信電力制御（TPC：Transmit  Power  Control）コマンド用、及びTransmission  Mode等によって使い分けがされる。例えば、ＬＴＥにおいては、ＤＣＩ  Ｆｏｒｍａｔ  ０／４はアップリンクのスケジューリング用として、ＤＣＩ  Ｆｏｒｍａｔ  １／１Ａ／１Ｂ／１Ｃ／１Ｄ／２／２Ａ／２Ｂ／２Ｃはダウンリンクのスケジューリング用として、ＤＣＩ  Ｆｏｒｍａｔ  ３／３ＡはＴＰＣコマンド用として、使い分けがされる。ＤＣＩの中には、フォーマットに応じてさらに複数のＩＥ（Information  Element）が含まれている。ＩＥの一例を、下記の表に挙げる。
【００８９】
【表１】
0006586762.tif 000029
【００９０】
【表２】
0006586762.tif 000030
【００９１】
【表３】
0006586762.tif 000031
【００９２】
【表４】
0006586762.tif 000032
【００９３】
【表５】
0006586762.tif 000033
【００９４】
【表６】
0006586762.tif 000034
【００９５】
【表７】
0006586762.tif 000035
【００９６】
【表８】
0006586762.tif 000036
【００９７】
なお、表１〜表８に示したＤＣＩのフォーマットを、レガシーフォーマットのＤＣＩとも称する。
【００９８】
＜＜２．システムの概略的な構成＞＞
続いて、図６を参照して、本開示の実施形態に係るシステム１の概略的な構成を説明する。図６は、本開示の実施形態に係るシステム１の概略的な構成の一例を示す説明図である。図６を参照すると、システム１は、基地局１００及び端末装置２００を含む。ここでは、端末装置２００は、ユーザとも呼ばれる。当該ユーザは、ユーザ機器（User  Equipment：ＵＥ）とも呼ばれ得る。ここでのＵＥは、ＬＴＥ又はＬＴＥ−Ａにおいて定義されているＵＥであってもよく、より一般的に通信機器を意味してもよい。
【００９９】
なお、ここでは、より容易な理解のために、１つの端末装置２００のみが示されているが、当然ながら、システム１は、複数の端末装置２００を含み得る。また、システム１は、端末装置２００のみではなく、他の種類の端末装置も含み得る。以降、「他の端末装置」とは、他の端末装置２００であってもよく、他の種類の端末装置であってもよい。
【０１００】
（１）基地局１００
基地局１００は、セルラーシステム（又は移動体通信システム）の基地局である。基地局１００は、基地局１００のセル１０１内に位置する端末装置（例えば、端末装置２００）との無線通信を行う。例えば、基地局１００は、端末装置へのダウンリンク信号を送信し、端末装置からのアップリンク信号を受信する。
【０１０１】
（２）端末装置２００
端末装置２００は、セルラーシステム（又は移動体通信システム）において通信可能である。端末装置２００は、セルラーシステムの基地局（例えば、基地局１００）との無線通信を行う。例えば、端末装置２００は、基地局からのダウンリンク信号を受信し、基地局へのアップリンク信号を送信する。
【０１０２】
（３）多元接続
とりわけ本開示の実施形態では、基地局１００は、非直交多元接続により、複数の端末装置との無線通信を行う。より具体的には、基地局１００は、ＳＰＣを用いた多重化／多元接続により、複数の端末装置との無線通信を行う。
【０１０３】
例えば、基地局１００は、ダウンリンクにおいて、ＳＰＣを用いた多重化／多元接続により、複数の端末装置との無線通信を行う。より具体的には、例えば、基地局１００は、複数の端末装置へのデータ信号を、ＳＰＣを用いて多重化する。この場合に、例えば、端末装置２００は、端末装置２００へのデータ信号を含む多重化信号から、干渉として１つ以上の他のデータ信号を除去し、端末装置２００への上記データ信号を復号する。
【０１０４】
なお、基地局１００は、ダウンリンクの代わりに、又はダウンリンクとともに、アップリンクにおいて、ＳＰＣを用いた多重化／多元接続により、複数の端末装置との無線通信を行ってもよい。この場合に、基地局１００は、当該複数の端末装置により送信されるデータ信号を含む多重化信号から、当該データ信号の各々を復号してもよい。
【０１０５】
＜＜３．各装置の構成＞＞
続いて、図７及び図８を参照して、本開示の一実施形態に係る基地局１００及び端末装置２００の構成を説明する。
【０１０６】
＜３．１．基地局の構成＞
図７は、本実施形態に係る基地局１００の論理的な構成の一例を示すブロック図である。図７に示すように、基地局１００は、アンテナ部１１０、無線通信部１２０、ネットワーク通信部１３０、記憶部１４０及び処理部１５０を含む。
【０１０７】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【０１０８】
（２）無線通信部１２０
無線通信部１２０は、信号を送受信する。例えば、無線通信部１２０は、端末装置へのダウンリンク信号を送信し、端末装置からのアップリンク信号を受信する。
【０１０９】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【０１１０】
（４）記憶部１４０
記憶部１４０は、基地局１００の動作のためのプログラム及び様々なデータを一時的に又は恒久的に記憶する。
【０１１１】
（５）処理部１５０
処理部１５０は、基地局１００の様々な機能を提供する。処理部１５０は、割当部１５１及び通信制御部１５３を含む。なお、処理部１５０は、これらの構成要素以外の他の構成要素をさらに含み得る。即ち、処理部１５０は、これらの構成要素の動作以外の動作も行い得る。
【０１１２】
割当部１５１及び通信制御部１５３の動作は、後に詳細に説明する。
【０１１３】
＜３．２．端末装置の構成＞
図８は、本実施形態に係る端末装置２００の論理的な構成の一例を示すブロック図である。図８に示すように、端末装置２００は、アンテナ部２１０、無線通信部２２０、記憶部２３０及び処理部２４０を含む。
【０１１４】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【０１１５】
（２）無線通信部２２０
無線通信部２２０は、信号を送受信する。例えば、無線通信部２２０は、基地局からのダウンリンク信号を受信し、基地局へのアップリンク信号を送信する。
【０１１６】
（３）記憶部２３０
記憶部２３０は、端末装置２００の動作のためのプログラム及び様々なデータを一時的に又は恒久的に記憶する。
【０１１７】
（４）処理部２４０
処理部２４０は、端末装置２００の様々な機能を提供する。処理部２４０は、判定部２４１及び通信制御部２４３を含む。なお、処理部２４０は、これらの構成要素以外の他の構成要素をさらに含み得る。即ち、処理部２４０は、これらの構成要素の動作以外の動作も行い得る。
【０１１８】
判定部２４１及び通信制御部２４３の動作は、後に詳細に説明する。
【０１１９】
＜＜４．技術的特徴＞＞
続いて、図９〜図３０を参照して、本実施形態に係るシステム１の技術的特徴を説明する。
【０１２０】
＜４．１．送信パラメータの制限＞
（１）基本的な方針
受信信号処理について上記説明したように、ＳＰＣ多重された信号を復調及び復号する場合、受信装置は、自身宛てのＤＣＩ以外にも、他の受信装置宛てのＤＣＩを読むことが可能であることが望ましい。なぜならば、ユーザが、他のユーザ宛ての信号による自身宛ての信号への干渉成分のレプリカを生成する際に、他のユーザ宛ての信号に用いられる送信パラメータ（例えば、変調方式、スクランブル、インタリーブ、誤り訂正符号及び符号化率等の送信パラメータ等のＤＣＩに含まれる情報）を用いるためである。
【０１２１】
送信パラメータを含むＤＣＩのビット系列は、通常、Ｃ−ＲＮＴＩ（Cell  Radio  Network  Temporary  Identifier）、Ｔｅｍｐｏｒａｒｙ  Ｃ−ＲＮＴＩ、又はＳＰＳ−ＲＮＴＩ（Semi-Persistent  Schedule  RNTI）等によってスクランブルされている。これらのＲＮＴＩは通常、ユーザ固有（UE-Specific）であり、端末装置２００が接続しているセルの基地局１００から割当てられるものである。そのため、端末装置２００は、自分宛て以外のＤＣＩを読むことは困難である。ただし、ＲＮＴＩの個数は有限なので、総当りでスクランブルを解くことも可能である。従って、端末装置２００は、自分宛て以外のＤＣＩを読むことも可能であるとも言えるが、処理負荷が多大であることを考慮すると現実的ではない。
【０１２２】
他のユーザ向けのＤＣＩを読むための手段のひとつとして、送信装置が、多重する受信装置全員のＤＣＩを、受信装置の各々に送信することが挙げられる。しかしながら、この手段ではＤＣＩの送受信のために多大な通信負荷がかかってしまう。
【０１２３】
そこで、本実施形態に係るシステム１では、送信装置は、少なくとも一部の受信装置へ信号を送信する際に、制限された送信パラメータを用いる。送信パラメータが制限されることにより、他の受信装置宛てのＤＣＩを読まずとも、受信装置側での干渉除去処理の負荷が軽減され、ＤＣＩの送受信のための通信負荷が軽減される。以下では、基地局１００が送信装置であり、端末装置２００が受信装置であるものとして、ダウンリンクに関する説明を行うが、アップリンクに関しても同様の技術が提供され得る。
【０１２４】
（２）具体的な制限の例
（ａ）電力レベルに基づく制御
例えば、基地局１００は、端末装置２００の各々が用いるデータチャネルに割り当てられる電力レベルに基づいて、制限された送信パラメータを割り当てるか否かを制御してもよい。以下、図９及び図１０を参照して、具体的に説明する。
【０１２５】
図９は、本実施形態に係る基地局１００において実行される送信パラメータの割り当て処理の流れの一例を示すフローチャートである。図９に示すように、基地局１００は、第１の条件として、対象の信号が、少なくとも一部同一の周波数リソースおよび時間リソース上で、１以上の他の信号と多重されるか否かを判定する（ステップＳ１０２）。また、基地局１００は、第２の条件として、対象の信号が、多重される他の信号の少なくとも一部と異なる電力レベルを割り当てられるか否かを判定する（ステップＳ１０４）。また、基地局１００は、第３の条件として、対象の周波数リソース及び時間リソース上で多重される信号の中で、対象の信号に割り当てられる電力レベルが最低ではないか否かを判定する（ステップＳ１０６）。これら第１〜第３の条件がすべて満たされる場合（ステップＳ１０２／ＹＥＳ、ステップＳ１０４／ＹＥＳ、且つステップＳ１０６／ＹＥＳ）、基地局１００は、制限された送信パラメータを割り当てる（ステップＳ１０８）。一方で、いずれかの条件が満たされない場合（ステップＳ１０２／ＮＯ、ステップＳ１０４／ＮＯ、又はステップＳ１０６／ＮＯ）、基地局１００は、任意の送信パラメータを割り当てる。
【０１２６】
図１０は、本実施形態に係る送信パラメータの割り当て処理を説明するための図である。横軸は周波数リソースであり、縦軸は電力レベルである。各ユーザには、電力レイヤ（SPC  Power  Layer）＃０〜＃ＮＰ−１のいずれかが割り当てられる。各ユーザは、割り当てられた電力レイヤの電力レベルを用いて信号を送受信する。電力レイヤの高さが電力レベルを示しており、インデックスが小さい電力レイヤほど電力レベルが高い。例えば、電力レベルＰ０はＰ１より高く、Ｐ１はＰ２より高く、ＰＮＰは最も低い。例えば、基地局１００は、最も電力レベルが低い電力レイヤ＃ＮＰ−１が割り当てられるユーザに、任意の送信パラメータを割り当て、他の電力レイヤが割り当てられるユーザに、制限された送信パラメータを割り当てる。
【０１２７】
（ａ−１）制限されたパラメータの具体例
例えば、本実施形態に係る基地局１００は、制限された送信パラメータとして、複数の端末装置２００間で共通化した送信パラメータを割り当てる。
【０１２８】
詳しくは、割当部１５１は、周波数リソース又は時間リソースの少なくとも一部が重複する無線リソース（例えば、リソースブロック）が割り当てられる複数の端末装置２００（又は信号、データチャネル、制御チャネル若しくはブロードキャストチャネル）の少なくとも一部に、少なくとも一部が共通化された送信パラメータを割り当てる。そして、通信制御部１５３は、共通化された送信パラメータを用いて複数の端末装置２００への送信処理を制御する。具体的には、通信制御部１５３は、共通化された送信パラメータを用いて複数の端末装置２００の各々宛ての信号を送信する。
【０１２９】
送信パラメータが共通化される場合、ユーザは、干渉除去のために、共通化された送信パラメータを取得すればよい。即ち、ユーザは、干渉除去のために、他のユーザに割り当てられた送信パラメータの各々を個別に取得することが要されない。送信パラメータが共通化されるので、ユーザが他のユーザに割り当てられた送信パラメータを知得するための通信負荷及び／又は処理負荷が軽減される。
【０１３０】
本実施形態に係る端末装置２００は、送信パラメータが共通化されていることを考慮した受信信号処理を行う。
【０１３１】
例えば、判定部２４１は、自身宛ての信号に割り当てられた周波数リソース又は時間リソースの少なくとも一部が重複するリソースブロックが割り当てられた他の端末装置２００宛ての信号に、少なくとも一部が共通化された送信パラメータが用いられたことを判定する。そして、通信制御部２４３は、判定部２４１による判定結果に基づいて他の端末装置２００宛ての信号を対象とする干渉除去処理を制御する。具体的には、通信制御部２４３は、他の端末装置２００宛ての信号に共通化された送信パラメータが用いられたものとして、干渉除去処理を行う。
【０１３２】
割当部１５１は、複数の端末装置２００から選択した一の端末装置２００に割り当てられる送信パラメータに基づいて共通化された送信パラメータを割り当ててもよい。以下、送信パラメータの共通化の具体例を説明する。
【０１３３】
（１）第１の共通化
（送信処理）
例えば、割当部１５１は、複数の端末装置２００の各々に割り当てられるデータチャネルの電力レベルが最も低い一の端末装置２００を選択する。そして、割当部１５１は、共通化された送信パラメータとして、選択した一の端末装置２００に割り当てられる送信パラメータと同一の送信パラメータを割り当てる。即ち、割当部１５１は、電力レベルが最も低い端末装置２００には任意に送信パラメータを割り当て、その他の端末装置２００には共通化された送信パラメータを割り当てる。
【０１３４】
この場合、多重されるすべてのユーザに対して同一の送信パラメータが割り当てられることとなる。そのため、ユーザは、自身に割り当てられた送信パラメータを自身宛てのＤＣＩから取得することで、他のユーザに割り当てられた送信パラメータを自動的に知得することができる。そのため、基地局１００は、キャンセル（即ち、干渉除去）すべき信号に適用された送信パラメータ（例えば、ＤＣＩに含まれる情報の少なくとも一部）をユーザに通知することを回避することができる。よって、多重するユーザ全員のＤＣＩをユーザの各々に送信する例と比較して、通信負荷を削減することが可能である。
【０１３５】
なお、本共通化が行われる場合、端末装置２００は、キャンセル対象の信号には、自身宛ての信号に適用される送信パラメータと同一の送信パラメータが適用されている、という前提を予め認識しておくことが望ましい。例えば、基地局１００は、その旨をＤＣＩに含めて端末装置２００へ通知してもよい。また、多重される電力レイヤの数ＮＰ＝２であることが望ましい。
【０１３６】
以下、図１１を参照して、基地局１００における送信処理について説明する。
【０１３７】
図１１は、本実施形態に係る基地局１００において実行される送信パラメータの割り当て処理の流れの一例を示すフローチャートである。図１１に示すように、まず、割当部１５１は、送信パラメータを割り当てる対象の信号を選択する（ステップＳ２０２）。次いで、割当部１５１は、対象の信号に制限された送信パラメータを割り当てるか否かを判定する（ステップＳ２０４）。この判定基準は、図９を参照して上記説明した通りである。
【０１３８】
制限された送信パラメータを割り当てると判定された場合（ステップＳ２０４／ＹＥＳ）の処理を説明する。図９を参照して上記説明したように、本処理は、対象の周波数リソース及び時間リソース上で多重される信号の中で、割り当てられる電力レベルが最低ではない信号を対象として行われる。
【０１３９】
まず、割当部１５１は、対象の周波数リソース及び時間リソース上で多重される信号の中で、最も低い電力レベルが割り当てられる信号の送信パラメータがすでに割り当てられているか否かを判定する（ステップＳ２０６）。すでに割り当てられていると判定された場合（ステップＳ２０６／ＹＥＳ）、割当部１５１は、最も低い電力レベルが割り当てられる信号と同一の送信パラメータを割り当てる（ステップＳ２０８）。同一にする送信パラメータとしては、例えばリソースブロックの割り当て（Resource  Block  Allocation）、ＭＣＳ（Modulation  and  Coding  Scheme）、ＲＶ（Redundancy  Version）、プリコーディング（Ｐｒｅｃｏｄｉｎｇ）及び空間レイヤ（Spatial  Layers）等が挙げられる。一方で、まだ割り当てられていないと判定された場合（ステップＳ２０６／ＮＯ）、割当部１５１は、送信パラメータの割り当てを保留する。即ち、割当部１５１は、最も低い電力レベルが割り当てられる信号の送信パラメータが割り当てられるまで待ち、割り当て後にステップＳ２０８の処理を行う。
【０１４０】
一方で、制限された送信パラメータを割り当てないと判定された場合（ステップＳ２０４／ＮＯ）、割当部１５１は、任意の送信パラメータを割り当てる（ステップＳ２１２）。例えば、割当部１５１は、当該信号の宛先である端末装置２００から事前にフィードバックされたＣＳＩ（Channel  State  Information）等の測定（measurement）結果に基づいて、送信パラメータを割り当てる。図９を参照して上記説明したように、本処理は、例えば対象の周波数リソース及び時間リソース上で多重される信号の中で、割り当てられる電力レベルが最低である信号を対象として行われる。
【０１４１】
その後、割当部１５１は、送信パラメータを割り当てるべき全ての信号に対する割り当てが完了したか否かを判定し、未完了の場合はステップＳ２０２に戻り（ステップＳ２１４／ＮＯ）、完了した場合は処理を終了する（ステップＳ２１４／ＹＥＳ）。
【０１４２】
通信制御部１５３は、このようにして割り当てられた送信パラメータを用いて、信号を送信する。
【０１４３】
（受信処理）
例えば、判定部２４１は、自身宛ての信号に用いられた送信パラメータと少なくとも一部が共通化された送信パラメータが他の端末装置２００宛ての信号に用いられたと判定する。例えば、判定部２４１は、基地局１００から受信するＤＣＩの内容、ＤＣＩのフォーマット、又は自身宛ての信号に割り当てられた電力レベル等に基づいて、共通化された送信パラメータが他の端末装置２００宛ての信号に用いられたことを判定する。そして、通信制御部２４３は、自身に割り当てられたデータチャネルの電力レベルよりも高い電力レベルが割り当てられた他の端末装置２００宛ての信号を対象として干渉除去処理を実行する。これにより、端末装置２００は、他の端末装置２００のための送信パラメータを別途取得せずとも、自身宛ての信号よりも受信電力の高い信号による干渉を除去することができる。
【０１４４】
以下、図１２を参照して、端末装置２００における受信処理について説明する。
【０１４５】
図１２は、本実施形態に係る端末装置２００において実行される干渉除去処理の流れの一例を示すフローチャートである。図１２に示すように、まず、通信制御部２４３は、自身宛てのＤＣＩを探索し（ステップＳ３０２）、対象のＤＣＩを復号する（ステップＳ３０４）。例えば、通信制御部２４３は、自身が復号すべき（即ち、自身宛ての）ＤＣＩを、ＰＤＣＣＨ、Ｃｏｍｍｏｎ  Ｓｅａｒｃｈ  Ｓｐａｃｅ、及び／又はＤｅｄｉｃａｔｅｄ  Ｓｅａｒｃｈ  Ｓｐａｃｅから探索する。次いで、通信制御部２４３は、対象のＤＣＩが示すサブフレームの受信宛ての信号の受信に必要な送信パラメータを、当該ＤＣＩから読み出すことで取得する（ステップＳ３０６）。ＤＣＩは、例えば、上の表１〜表８に示したレガシーフォーマットのＤＣＩであってもよく、さらにＳＰＣ多重が適用されたか否かを示すＩＥ、及び自身宛ての信号が何番目の電力レイヤに割り当てられているか（即ち、何番目の電力レベルが割り当てられているか）を示すＩＥが含まれていてもよい。
【０１４６】
次に、判定部２４１は、ＳＰＣ多重のための干渉除去が必要であるか否かを判定する（ステップＳ３０８）。例えば、判定部２４１は、自身宛ての信号にＳＰＣを用いた多重が適用されており、且つ自身宛ての信号に割り当てられた電力レベルが多重される信号の中で最も高い信号ではない場合、干渉除去が必要であると判定する。なぜならば、自身宛てに信号に干渉する、自身宛ての信号よりも受信電力が高い他のユーザ宛ての信号を対象として、干渉除去する必要があるためである。一方で、判定部２４１は、自身宛ての信号にＳＰＣを用いた多重が適用されていない、又は自身宛ての信号に割り当てられた電力レベルが多重される信号の中で最も高い信号である場合、干渉除去が必要でないと判定する。
【０１４７】
干渉除去が必要であると判定された場合（ステップＳ３０８／ＹＥＳ）、判定部２４１は、判定部２４１は、干渉除去の対象の信号の送信パラメータも、自身宛ての信号の送信パラメータと同一であると判定する（ステップＳ３１０）。そして、通信制御部２４３は、ＤＣＩが示すサブフレームの自身宛ての信号について、干渉除去を伴う受信信号処理を実施する（ステップＳ３１２）。その際、通信制御部２４３は、干渉信号の送信パラメータは、自身宛ての信号の送信パラメータと同一であるものとして干渉除去を行う。
【０１４８】
一方で、干渉除去が必要でないと判定された場合（ステップＳ３０８／ＮＯ）、通信制御部２４３は、ＤＣＩが示すサブフレームの自身宛ての信号について、干渉除去を伴わない受信信号処理を実施する（ステップＳ３１４）。
【０１４９】
（２）第２の共通化
（送信処理）
例えば、割当部１５１は、電力レベルが最も低いとして選択した端末装置２００以外の端末装置２００に、共通化された送信パラメータとして所定の送信パラメータを割り当ててもよい。即ち、割当部１５１は、電力レベルが最も低い端末装置２００には任意に送信パラメータを割り当て、その他の端末装置２００には所定の（即ち、共通化された）送信パラメータを割り当てる。
【０１５０】
この場合、電力レベルが最も低いユーザには任意の送信パラメータが割り当てられ、その他のユーザには所定の送信パラメータが割り当てられることとなる。上述したように、受信装置は、自身宛ての信号よりも受信電力が高い他の装置宛ての信号を対象として干渉除去処理を行う。そのため、電力レベルが最も低いユーザへの信号は、他のいずれのユーザも干渉除去処理の対象とはしないので、電力レベルが最も低いユーザに割り当てられた送信パラメータを、他のユーザは知らなくてもよい。従って、この割り当て例においては、ユーザは、干渉除去の対象となる他のユーザに割り当てられた送信パラメータを既知とすることができる。そのため、基地局１００は、キャンセル（即ち、干渉除去）すべき信号に適用された送信パラメータ（例えば、ＤＣＩに含まれる情報の少なくとも一部）をユーザに通知することを回避することができる。よって、多重するユーザ全員のＤＣＩをユーザの各々に送信する例と比較して、通信負荷を削減することが可能である。
【０１５１】
なお、本共通化が行われる場合、端末装置２００は、キャンセル対象の信号には、所定の送信パラメータが適用されている、という前提を予め認識しておくことが望ましい。例えば、基地局１００は、その旨をＤＣＩに含めて端末装置２００へ通知してもよい。
【０１５２】
以下、図１３を参照して、基地局１００における送信処理について説明する。
【０１５３】
図１３は、本実施形態に係る基地局１００において実行される送信パラメータの割り当て処理の流れの一例を示すフローチャートである。図１３に示したフローチャートは、ステップＳ４０８に係る処理が異なる以外、図１１に示したフローチャートと同様である。そこで、ここではステップＳ４０８における処理について説明する。
【０１５４】
ステップＳ４０８では、割当部１５１は、所定の送信パラメータを割り当てる。この所定の送信パラメータは、システム１に含まれる基地局１００と端末装置２００との間で、事前に共有されていることが望ましい。
【０１５５】
（受信処理）
例えば、判定部２４１は、所定の送信パラメータが他の端末装置２００宛ての信号に用いられたと判定する。例えば、判定部２４１は、基地局１００から受信するＤＣＩの内容、ＤＣＩのフォーマット、又は自身宛ての信号に割り当てられた電力レベル等に基づいて、所定の送信パラメータが他の端末装置２００宛ての信号に用いられたことを判定する。そして、通信制御部２４３は、自身に割り当てられたデータチャネルの電力レベルよりも高い電力レベルが割り当てられた他の端末装置２００宛ての信号を対象として干渉除去処理を実行する。これにより、端末装置２００は、他の端末装置２００のための送信パラメータを別途取得せずとも、自身宛ての信号よりも受信電力の高い信号による干渉を除去することができる。
【０１５６】
以下、図１４を参照して、端末装置２００における受信処理について説明する。
【０１５７】
図１４は、本実施形態に係る端末装置２００において実行される干渉除去処理の流れの一例を示すフローチャートである。図１４に示したフローチャートは、ステップＳ５１０に係る処理が異なる以外、図１２に示したフローチャートと同様である。そこで、ここではステップＳ５１０における処理について説明する。
【０１５８】
ステップＳ５１０で、判定部２４１は、干渉除去の対象の信号の送信パラメータが、所定の送信パラメータであると判定する。例えば、判定部２４１は、システム１に含まれる基地局１００と端末装置２００との間で事前に共有された送信パラメータが、干渉除去の対象の信号に適用されたと判定する。
【０１５９】
（ｂ）再送制御
例えば、基地局１００は、割り当てられる電力レベルに応じて、ＨＡＲＱ（Hybrid  automatic  repeat  request）に関する制御を行ってもよい。
【０１６０】
例えば、通信制御部１５３は、割り当てられる電力レベルに基づいて送信データ（例えば、トランスポートブロック）の再送制御を行う。より具体的には、通信制御部１５３は、割り当てられる電力レベルが最も低い信号を用いて初回送信又は再送の送信データを送信する。また、通信制御部１５３は、割り当てられる電力レベルが最も低い信号以外の信号を用いて初回送信の送信データを送信する。
【０１６１】
換言すると、通信制御部１５３は、割り当てられる電力レベルに基づいて送信データの誤り訂正符号化又はレートマッチングに用いられるＲＶ（Redundancy  Version）の設定を行う。より具体的には、通信制御部１５３は、割り当てられる電力レベルが最も低い信号を用いて送信する送信データに、初回送信時又は再送時のＲＶを用いる。また、通信制御部１５３は、割り当てられる電力レベルが最も低い信号以外の信号を用いて送信する送信データに、初回送信時のＲＶを用いる。なお、ＲＶは、ＦＥＣ符号化後のレートマッチング（Rate  Matching）に関連する送信パラメータである。
【０１６２】
なお、基地局１００は、再送制御の状態に応じた電力レベルを割り当ててもよい。即ち、上記では、電力の割り当て後に再送制御が行われていたが、再送制御後に電力割り当てが行われてもよい。
【０１６３】
例えば、通信制御部１５３は、送信データの再送制御の状態に応じて、信号の各々に電力レベルを割り当ててもよい。より具体的には、通信制御部１５３は、再送の送信データを含む信号に、最も低い電力レベルを割り当てる。また、通信制御部１５３は、初回送信の送信データを含む信号に、最も低い電力レベル以外の電力レベルを割り当てる。なお、通信制御部１５３は、初回送信の送信データを含む信号に、最も低い電力レベルを割り当ててもよい。
【０１６４】
換言すると、通信制御部１５３は、ＲＶ（Redundancy  Version）の設定に応じて、信号の各々に電力レベルを割り当ててもよい。より具体的には、通信制御部１５３は、再送時のＲＶが用いられる信号に、最も低い電力レベルを割り当てる。また、通信制御部１５３は、初回送信時のＲＶが用いられる信号に、最も低い電力レベル以外の電力レベルを割り当てる。なお、通信制御部１５３は、初回送信時のＲＶが用いられる信号に、最も低い電力レベルを割り当ててもよい。
【０１６５】
このような処理により、割り当てられる電力レベルが最も低い信号以外の信号を用いて送信する送信データに係るＲＶは、初回送信時のものに制限されることとなる。以下、図１５及び図１６を参照して、具体的に説明する。
【０１６６】
図１５は、本実施形態に係る基地局１００において実行される送信パラメータの割り当て処理の流れの一例を示す図である。図１５に示すように、まず、基地局１００は、対象の信号は再送データを運ぶか否かを判定する（ステップＳ６０２）。再送データを運ぶと判定された場合（ステップＳ６０２／ＹＥＳ）、基地局１００は、最も低い電力レベルを割り当てて、ＳＰＣを用いた多重を行う（ステップＳ６０４）。一方で、初回送信のデータを運ぶと判定された場合（ステップＳ６０２／ＮＯ）、基地局１００は、任意の電力レベルを割り当てて、ＳＰＣを用いた多重を行う（ステップＳ６０６）。なお、基地局１００は、初回送信か再送かによって、ＳＰＣを用いた多重を行うか否か自体を切り替えてもよい。
【０１６７】
図１６は、本実施形態に係る送信パラメータの割り当て例を説明するための図である。横軸は周波数リソースであり、縦軸は電力レベルであり、インデックスが小さい電力レイヤほど電力レベルが高い。図１６に示すように、例えば、基地局１００は、再送のデータを運ぶ信号には、最も電力レベルが低い電力レイヤ＃ＮＰ−１を割り当てる。また、基地局１００は、初回送信のデータを運ぶ信号には、任意の電力レイヤを割り当てる。電力レイヤ＃ＮＰ−１は再送のデータを運ぶ信号に割り当てられるので、初回送信のデータを運ぶ信号には、電力レイヤ＃０〜＃ＮＰ−２が割り当てられることが望ましい。
【０１６８】
＜４．２．送信パラメータの割り当て例＞
続いて、具体的な送信パラメータの割り当て例を説明する。
【０１６９】
（Ｒｅｓｏｕｒｃｅ  Ａｌｌｏｃａｔｉｏｎ）
まず、無線リソースの割り当てに関する望ましい割り当て例を説明する。
【０１７０】
例えば、割当部１５１は、共通化された送信パラメータとして、同一のリソースブロックを割り当てる。即ち、割当部１５１は、周波数リソース及び時間リソースが共に重複する無線リソースを、ＳＰＣを用いて多重する複数の端末装置２００に割り当てる。ただし、送受信するデータ量は端末装置２００ごとに異なる場合がある。そのような場合、割当部１５１は、共通化された送信パラメータとして、割り当てられる電力レベルが高い端末装置２００に、当該端末装置２００よりも割り当てられる電力レベルが低い他の端末装置２００に割り当てられるリソースブロックを含むリソースブロックを割り当ててもよい。このような割り当てにより、電力レベルの低いレイヤの信号に対して干渉除去を実施する際に、周波数方向についてリソースブロックごとに変調方式などを細かく考慮する必要がなくなる。これにより、端末装置２００側での除去処理の負荷を下がる上に、通知が必要となる制御情報（例えばＤＣＩ）の量が削減される。以下、図１７を参照して、具体的に説明する。
【０１７１】
図１７は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図１７を参照すると、最も電力レベルが低い電力レイヤ＃ＮＰ−１が割り当てられる信号と、電力レイヤ＃ＮＰ−２〜電力レイヤ＃２が割り当てられる信号とで、同一のリソースブロックが割り当てられている。また、電力レイヤ＃１が割り当てられる信号に、電力レイヤ＃１よりも電力レベルが低い電力レイヤ＃２が割り当てられる信号に割り当てられるリソースブロックを含むリソースブロックが割り当てられている。また、電力レイヤ＃０が割り当てられる信号に、電力レイヤ＃０よりも電力レベルが低い電力レイヤ＃１が割り当てられる信号に割り当てられるリソースブロックを含むリソースブロックが割り当てられている。
【０１７２】
続いて、図１８を参照して、無線リソースの割り当てに関する避けるべき割り当て例を説明する。
【０１７３】
図１８は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図１８に示す例では、ある電力レイヤについて割り当てられるリソースブロックの範囲内に、当該電力レイヤより電力レベルが高い他の電力レイヤで複数のユーザの信号が混在して割当てられている。例えば、最も電力レベルが低い電力レイヤ＃ＮＰ−１に割り当てられるリソースブロックの範囲内で、電力レイヤ＃２では２つのユーザの信号が混在している。このような場合、端末装置２００側で、混在しているユーザの信号ごとの変調方式、符号化方式、符号化率、ＭＣＳ及びＰｒｅｃｏｄｅｒの種類などを考慮する必要があり、干渉除去処理の負荷となることが懸念される。また、基地局１００側がこれらの情報を通知する必要性が生じるため、必要な制御情報（例えば、ＤＣＩ）の増加も予想される。ただし、変調方式、符号化方式、符号化率、ＭＣＳ及びＰｒｅｃｏｄｅｒの種類等のＲＢ以外の送信パラメータを、その混在したユーザ間で共通化するといった制限が与えられる場合、そのような懸念も緩和されるため、図１８に示した例も許容され得る。
【０１７４】
（変調方式、符号化方式、符号化率、ＭＣＳ）
例えば、割当部１５１は、変調方式、符号化方式、符号化率及びＭＣＳについて、少なくとも一部が共通化された送信パラメータを割り当ててもよい。
【０１７５】
例えば、割当部１５１は、割り当てられる電力レベルが高い端末装置２００に、当該端末装置２００よりも割り当てられる電力レベルが低い他の端末装置２００と同一又は低いデータレート又は周波数利用効率が達成されるよう送信パラメータを割り当ててもよい。これにより、端末装置２００において、干渉除去が行わない場合であっても受信品質の劣化（ビット又はブロック誤りの発生）を抑制することが可能となる。
【０１７６】
具体的には、割当部１５１は、割り当てられる電力レベルが高い端末装置２００に、当該端末装置２００よりも割り当てられる電力レベルが低い他の端末装置２００と比較して、ひとつのシンボルで送信できる情報量が同一又は少ない変調方式を割り当てる。換言すると、割当部１５１は、割り当てられる電力レベルが高い端末装置２００に、当該端末装置２００よりも割り当てられる電力レベルが低い他の端末装置２００と同一又は低いＭＣＳ（Modulation  and  Coding  Scheme）を割り当ててもよい。符号化方式及び符号化率についても同様である。
【０１７７】
ここで、表９及び表１０に、変調方式とＴＢＳインデックスのテーブルの一例を示す。表９は、ＱＰＳＫ、１６ＱＡＭ及び６４ＱＡＭを利用候補とするテーブルの一例である。また、表１０は、ＱＰＳＫ、１６ＱＡＭ、６４ＱＡＭ及び２５６ＱＡＭを利用候補とするテーブルの一例である。
【０１７８】
上記表１〜表８にレガシーフォーマットのＤＣＩにおけるＭＣＳのＩＥには、ＭＣＳ  Ｉｎｄｅｘが格納され得る。Ｍｏｄｕｌａｔｉｏｎ  Ｏｒｄｅｒは、変調方式の種類に対応する変調次数であり、例えばＱＰＳＫであれば２、１６ＱＡＭであれば４、６４ＱＡＭであれば６、２５６ＱＡＭであれば８である。ＴＢＳ  Ｉｎｄｅｘは、Ｔｒａｎｓｐｏｒｔ  Ｂｌｏｃｋ  Ｓｉｚｅを計算するための他のテーブルにおいて用いられるインデックスである。システム１において、表９及び表１０に示したような複数通りの変調方式とＴＢＳインデックスのテーブルが使用され得る場合、どのテーブルが使用されるかが事前に定められることが望ましい。また、ＳＰＣ多重されるユーザの間では、同じテーブルが使用されることが望ましい。
【０１７９】
【表９】
0006586762.tif 000037
【０１８０】
【表１０】
0006586762.tif 000038
【０１８１】
以下、図１９〜図２４を参照して具体的に説明する。
【０１８２】
図１９は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図１９に示す例では、最も電力レベルが低い電力レイヤ＃ＮＰ−１と、電力レイヤ＃ＮＰ−２〜電力レイヤ＃０とで、同一の変調方式１６ＱＡＭ、及び同一の符号化方式の同一の符号化率ｒ＝５／６が割り当てられている。これにより、電力レイヤ＃ＮＰ−２〜電力レイヤ＃０が割り当てられる端末装置２００において、電力レベルが最も低い電力レイヤ＃０が割り当てられる端末装置２００と同一のデータレート又は周波数利用効率が達成される。なお、図１９に示した送信パラメータの割り当て例は、上記説明した第１の共通化の具体例に相当する。
【０１８３】
図２０は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図２０に示す例では、最も電力レベルが低い電力レイヤ＃ＮＰ−１と、電力レイヤ＃ＮＰ−２〜電力レイヤ＃０とで、同一の変調方式１６ＱＡＭが割り当てられている。一方で、符号化率に関しては、電力レイヤ＃ＮＰ−１に符号化率ｒ＝５／６が割り当てられ、電力レイヤ＃ＮＰ−２〜電力レイヤ＃０に符号化率ｒ＝１／２が割り当てられている。これにより、電力レベルが高い電力レイヤ＃ＮＰ−２〜電力レイヤ＃０が割り当てられる端末装置２００において、電力レベルが最も低い電力レイヤ＃０が割り当てられる端末装置２００よりも低いデータレート又は周波数利用効率が達成される。なお、図２０に示した送信パラメータの割り当て例は、上記説明した第２の共通化の具体例に相当する。
【０１８４】
ここで、図２０に示した例においても、端末装置２００は、例えば、ＦＥＣ復号器を経由せず、復調器（Demodulator）又はデマッパ（Demapper）の出力相当から干渉信号レプリカを生成することで、変調シンボルのレベルでの干渉除去を実施することが可能である。従って、送信データレートの自由度は向上することが期待される。また、端末装置２００に符号化率が通知される場合、ＦＥＣ復号出力相当からの干渉信号レプリカを生成することが可能である。端末装置２００に符号化率が通知されない場合、干渉除去処理におけるＦＥＣの利得が期待できないため、受信品質が多少下がるデメリットが生じることに注意が必要である。
【０１８５】
図２１は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図２１に示す例では、変調方式に関しては、最も電力レベルが低い電力レイヤ＃ＮＰ−１に変調方式１６ＱＡＭが割り当てられ、電力レイヤ＃ＮＰ−２〜電力レイヤ＃０にＱＰＳＫが割り当てられている。また、符号化率に関しては、最も電力レベルが低い電力レイヤ＃ＮＰ−１に符号化率ｒ＝５／６が割り当てられ、電力レイヤ＃ＮＰ−２〜電力レイヤ＃０に符号化率ｒ＝１／２が割り当てられている。これにより、電力レベルが高い電力レイヤ＃ＮＰ−２〜電力レイヤ＃０が割り当てられる端末装置２００において、電力レベルが最も低い電力レイヤ＃０が割り当てられる端末装置２００よりも低いデータレート又は周波数利用効率が達成される。なお、図２１に示した送信パラメータの割り当て例は、上記説明した第２の共通化の具体例に相当する。
【０１８６】
ここで、図２１に示した例における共通化されたパラメータは、変調方式のＱＰＳＫ及び符号化率のｒ＝１／２である。これらの送信パラメータは、システム１内で実現可能な変調方式及び符号化率の中で最も低いデータレートを実現するものであることが望ましい。これにより、端末装置２００において、干渉除去が行わない場合であっても受信品質の劣化（ビット又はブロック誤りの発生）を抑制することが可能となる。ただし、達成できる送信データレートについては、このような制限によって頭打ちになる点に注意が必要である。
【０１８７】
図２２は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図２２に示す例では、最も電力レベルが低い電力レイヤ＃ＮＰ−１と、電力レイヤ＃ＮＰ−２〜電力レイヤ＃０とで、同一のＭＣＳ  Ｉｎｄｅｘ＝１９が割り当てられている。これにより、電力レイヤ＃ＮＰ−２〜電力レイヤ＃０が割り当てられる端末装置２００において、電力レベルが最も低い電力レイヤ＃０が割り当てられる端末装置２００と同一のデータレート又は周波数利用効率が達成される。なお、図２２に示した送信パラメータの割り当て例は、上記説明した第１の共通化の具体例に相当する。
【０１８８】
図２３は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図２３に示す例では、最も電力レベルが低い電力レイヤ＃ＮＰ−１にＭＣＳ  Ｉｎｄｅｘ＝１９が割り当てられ、電力レイヤ＃ＮＰ−２〜電力レイヤ＃０にＭＣＳ  Ｉｎｄｅｘ＝１７が割り当てられている。なお、上記の表９及び表１０を参照すると、電力レイヤ＃ＮＰ−１〜電力レイヤ＃０に、同一の変調次数（Modulation  Order）が割り当てられている。これにより、電力レベルが高い電力レイヤ＃ＮＰ−２〜電力レイヤ＃０が割り当てられる端末装置２００において、電力レベルが最も低い電力レイヤ＃０が割り当てられる端末装置２００よりも低いデータレート又は周波数利用効率が達成される。なお、図２３に示した送信パラメータの割り当て例は、上記説明した第２の共通化の具体例に相当する。
【０１８９】
図２４は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図２３に示す例では、最も電力レベルが低い電力レイヤ＃ＮＰ−１にＭＣＳ  Ｉｎｄｅｘ＝１９が割り当てられ、電力レイヤ＃ＮＰ−２〜電力レイヤ＃０にＭＣＳ  Ｉｎｄｅｘ＝０が割り当てられている。これにより、電力レベルが高い電力レイヤ＃ＮＰ−２〜電力レイヤ＃０が割り当てられる端末装置２００において、電力レベルが最も低い電力レイヤ＃０が割り当てられる端末装置２００よりも低いデータレート又は周波数利用効率が達成される。なお、図２４に示した送信パラメータの割り当て例は、上記説明した第２の共通化の具体例に相当する。
【０１９０】
（ＲＶ）
例えば、割当部１５１は、ＲＶを共通化してもよい。以下、図２５及び図２６を参照して具体的に説明する。
【０１９１】
図２５は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図２５に示す例では、すべての電力レイヤで、同一のＲＶ＝０が割り当てられている。なお、図２５に示した送信パラメータの割り当て例は、上記説明した第１の共通化の具体例に相当する。
【０１９２】
図２６は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図２６に示す例では、最も電力レベルが低い電力レイヤ＃ＮＰ−１にＲＶ＝２が割り当てられ、電力レイヤ＃ＮＰ−２〜電力レイヤ＃０にＲＶ＝０が割り当てられている。なお、図２６に示した送信パラメータの割り当て例は、上記説明した第２の共通化の具体例に相当する。
【０１９３】
ここで、図２６に示した例における共通化されたパラメータは、ＲＶ＝０である。この値は、システム１がＨＡＲＱを採用している場合、ＨＡＲＱにおいて初回送信時に利用されるＲＶの値と同一であることが望ましい。
【０１９４】
（空間リソース）
例えば、割当部１５１は、共通化された送信パラメータとして、同一の空間リソースを割り当ててもよい。具体的には、割当部１５１は、共通化された送信パラメータとして、同一の空間多重のためのプリコーダ（例えば、プリコーディングマトリクス（Precoding  Matrix）及び空間レイヤ数）を割り当ててもよい。これにより、無線リソースにおける、受信及び復号に必要なリファレンス信号（Reference  Signal）の占める割合が下がり得る。また、同一のプリコーディングマトリクスが適用された、ＳＰＣ多重された信号同士は、同一のアンテナ又はアンテナポートから送信されることが望ましい。さらに、異なるプリコーディングマトリクスが適用された、ＳＰＣ多重された信号同士は、同一の時間リソース（例えば、サブフレーム）で送信される場合、互いに異なるアンテナ又はアンテナポートから送信されることが望ましい。
【０１９５】
空間リソースの共通化に係る通信制御部１５３の処理について説明する。通信制御部１５３は、同一のリソースブロック上でＳＰＣ多重される一部又は全ての信号に対して、同一のプリコーディングマトリクスを適用する。また、通信制御部１５３は、同一のリソースブロック上でＳＰＣ多重される一部又は全ての信号に対して、同一の空間レイヤ数を適用する。また、通信制御部１５３は、同一のプリコーディングマトリクス又は同一の空間レイヤ数を適用する場合、送信に用いるアンテナ又はアンテナポートを同一とする。また、通信制御部１５３は、異なるプリコーディングマトリクス又は異なる空間レイヤ数を適用する場合、送信に用いるアンテナ又はアンテナポートを異なるものとする。
【０１９６】
以下、図２７を参照して具体的に説明する。
【０１９７】
図２７は、本実施形態に係る送信パラメータの割り当て例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図２７に示す例では、すべての電力レイヤで、同一のプリコーディングマトリクスが適用される。また、すべての電力レイヤで、同一の空間レイヤ数が適用される。なお、図２７に示した送信パラメータの割り当て例は、上記説明した第１の共通化の具体例に相当する。
【０１９８】
（その他の制限）
同一の周波数リソース及び同一の時間リソース上でＳＰＣ多重される電力レイヤの数、又はユーザ数は、２とすることが望ましい。このようにすることで、割当部１５１が上述した制限を掛ける際に考慮すべき項目及び組み合わせを単純化することが可能となり、ダウンリンクにおける基地局１００でのスケジューリング処理負荷を軽減することが可能となる。
【０１９９】
＜４．３．新たなＤＣＩのフォーマット例１＞
本実施形態に係るシステム１では、新たなＤＣＩのフォーマットを導入する。具体的には、以下の新たなＩＥを含むＤＣＩのフォーマットを導入する。
【０２００】
Ｃａｎｃｅｌｌａｔｉｏｎ  Ｉｎｄｉｃａｔｏｒ
：干渉除去を実施する必要の有無を示すフラグ
Ｐｏｗｅｒ  Ｌａｙｅｒ  Ｉｎｄｅｘ
：何番目の電力レイヤが割当てられているか
【０２０１】
なお、電力レイヤの数が２である場合、Ｃａｎｃｅｌｌａｔｉｏｎ  ＩｎｄｉｃａｔｏｒだけがＤＣＩに含まれてもよく、電力レイヤの数が３以上である場合、Ｐｏｗｅｒ  Ｌａｙｅｒ  ＩｎｄｅｘだけがＤＣＩに含まれていてもよい。
【０２０２】
端末装置２００は、これらのＩＥを参照することで、自身宛ての信号を復号する。例えば、端末装置２００は、Ｃａｎｃｅｌｌａｔｉｏｎ  Ｉｎｄｉｃａｔｏｒを参照することで、干渉除去を実施する必要があるか否かを判定する。次いで、端末装置２００は、Ｐｏｗｅｒ  Ｌａｙｅｒ  Ｉｎｄｅｘを参照することで、電力レイヤのインデックスを知得する。そして、端末装置２００は、電力レイヤのインデックスが最も低い電力レベルを示すか否かに応じて、自身に任意の送信パラメータが割り当てられたのか、共通化された送信パラメータが割り当てられたのかを判定する。また、端末装置２００は、干渉除去の対象の端末装置２００に割り当てられた送信パラメータを判定する。例えば、上記説明した第１の共通化に関しては、端末装置２００は、干渉除去の対象の端末装置２００に自身と同一の送信パラメータが割り当てられたと判定する。また、上記説明した第２の共通化に関しては、端末装置２００は、干渉除去の対象の端末装置２００に所定の送信パラメータが割り当てられたと判定する。このようにして、端末装置２００は、干渉除去の対象の端末装置２００に割り当てられた送信パラメータを取得することが可能となり、従って、自身宛ての信号を適切に復号することができる。
【０２０３】
下記の表１１〜表１８に、Ｃａｎｃｅｌｌａｔｉｏｎ  Ｉｎｄｉｃａｔｏｒ及びＰｏｗｅｒ  Ｌａｙｅｒ  Ｉｎｄｅｘを含む、新たなＤＣＩのフォーマットのＩＥの一例を示す。
【０２０４】
【表１１】
0006586762.tif 000039
【０２０５】
【表１２】
0006586762.tif 000040
【０２０６】
【表１３】
0006586762.tif 000041
【０２０７】
【表１４】
0006586762.tif 000042
【０２０８】
【表１５】
0006586762.tif 000043
【０２０９】
【表１６】
0006586762.tif 000044
【０２１０】
【表１７】
0006586762.tif 000045
【０２１１】
【表１８】
0006586762.tif 000046
【０２１２】
なお、上記表１１〜表１８において、レガシーフォーマットのＤＣＩから追加された部分には網掛けが施されている。
【０２１３】
ここで、割り当てられる電力レベルが最も高い端末装置２００は干渉除去の必要がなく、その他の端末装置２００は干渉除去の必要がある。そのため、干渉除去の必要有無に応じて、異なるＤＣＩが用いられてもよい。
【０２１４】
基地局１００側に関して言えば、例えば、通信制御部１５３は、共通化された送信パラメータが割り当てられる端末装置２００のうち一部に、他の一部と異なるフォーマットの制御情報を用いてもよい。より詳しくは、通信制御部１５３は、端末装置２００に割り当てられる電力レベルに応じたフォーマットの制御情報を用いる。具体的には、通信制御部１５３は、割り当てられる電力レベルが最大でない端末装置２００に、表１１〜表１８に一例を示す、干渉除去処理を実行すべきことを示す情報を含むフォーマットの制御情報を用いる。一方で、通信制御部１５３は、割り当てられる電力レベルが最大である端末装置２００に、表１〜表８に一例を示した、干渉除去処理を実行すべきことを示す情報を含まないレガシーフォーマットの制御情報を用いる。ここで、干渉除去処理を実行すべきことを示す情報とは、Ｃａｎｃｅｌｌａｔｉｏｎ  Ｉｎｄｉｃａｔｏｒ又はＰｏｗｅｒ  Ｌａｙｅｒ  Ｉｎｄｅｘの少なくともいずれかを指す。このような制御により、割り当てられる電力レベルが最大である端末装置２００に関して、ＤＣＩのデータ量を低減することが可能である。
【０２１５】
端末装置２００に関して言えば、判定部２４１は、制御情報のフォーマットに基づいて判定する。例えば、判定部２４１は、ＤＣＩのフォーマットに基づいて、干渉除去処理を実行するか否かを制御する。具体的には、通信制御部２４３は、表１１〜表１８に一例を示す、制御情報に干渉除去処理を実行すべきことを示す情報が含まれる場合に、干渉除去処理を実行する。一方で、通信制御部２４３は、表１〜表８に示した、制御情報が干渉除去処理を実行すべきことを示す情報を含まないレガシーフォーマットのＤＣＩである場合に、干渉除去処理を実行しない。また、判定部２４１は、自身に割り当てられたデータチャネルの電力レベルに基づいて判定してもよい。例えば、判定部２４１は、自身に割り当てられたデータチャネルの電力レベルが、多重される他の端末装置２００との間で最大であれば干渉除去処理を実行しないと判定し、最大でなければ実行すると判定する。
【０２１６】
以下、図２８を参照して、端末装置２００における受信処理について説明する。
【０２１７】
図２８は、本実施形態に係る端末装置２００において実行される受信処理の流れの一例を示すフローチャートである。図２８に示すように、まず、判定部２４１は、レガシーフォーマットのＤＣＩが通知されたか否かを判定する（ステップＳ７０２）。レガシーフォーマットのＤＣＩが通知されたと判定された場合（ステップＳ７０２／ＹＥＳ）、通信制御部２４３は、干渉除去処理を実施しない受信処理を実行する（ステップＳ７０４）。一方で、レガシーフォーマットのＤＣＩが通知されていないと判定された場合（ステップＳ７０２／ＮＯ）、通信制御部２４３は、干渉除去処理を実施する受信処理を実行する（ステップＳ７０６）。
【０２１８】
＜４．４．新たなＤＣＩのフォーマット例２＞
上記実施形態では、送信パラメータを共通化することで、端末装置２００側での干渉除去処理の負荷及びＤＣＩの送受信のための通信負荷の軽減を実現してきた。ここで、送信パラメータは、一部が共通化され、他の一部が共通化されなくてもよい。共通化されない送信パラメータに関しては、干渉除去の対象となる（即ち、対象の端末装置２００よりも割り当てられた電力レベルが大きい）他の端末装置２００の送信パラメータは、ＳＰＣを用いて多重される端末装置２００の各々に通知されることが望ましい。これにより、送信パラメータの制限を緩和すると共に、無線リソースの利用効率を向上させ、結果として各ユーザのスループット及びシステムスループットを向上させることができる。
【０２１９】
ここで、割り当てられる電力レベルが最も高い端末装置２００は干渉除去の必要がなく、その他の端末装置２００は干渉除去の必要がある。そのため、干渉除去の必要有無に応じて、レガシーフォーマットのＤＣＩと干渉除去対象の端末装置２００の送信パラメータを示す情報が含まれる新たなフォーマットのＤＣＩとが、上記説明した「新たなＤＣＩのフォーマット例１」と同様に使い分けられてもよい。
【０２２０】
図２９は、本実施形態に係るＤＣＩのフォーマットの使い分けの例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図２９に示す例では、割り当てられる電力レベルが最大である電力レイヤで信号を送受信する端末装置２００に対して、他の端末装置２００の送信パラメータが含まれない、レガシーフォーマットの制御情報が用いられる。一方で、割り当てられる電力レベルが最大でない電力レイヤで信号を送受信する端末装置２００に対して、干渉除去対象の他の端末装置２００の送信パラメータを示す情報が含まれる、新たなフォーマットの制御情報が用いられる。
【０２２１】
このような使い分けにより、ＳＰＣを用いた多重を行うシステム１において、レガシーフォーマットのＤＣＩしか読むことができないレガシー装置を、新たなフォーマットのＤＣＩも読むことができる装置と共存させることが可能となる。
【０２２２】
ＤＣＩに干渉除去対象の他の端末装置２００の送信パラメータを示す情報が含まれる場合、ＤＣＩのサイズを小さくするために、ＳＰＣを用いて多重される電力レイヤの最大数は少ないことが望ましく、例えば２であることが望ましい。
【０２２３】
下記の表１９〜表２６に、干渉除去対象の他の端末装置２００の送信パラメータを示す情報を含む、新たなＤＣＩのフォーマットのＩＥの一例を示す。
【０２２４】
【表１９】
0006586762.tif 000047
【０２２５】
【表２０】
0006586762.tif 000048
【０２２６】
【表２１】
0006586762.tif 000049
【０２２７】
【表２２】
0006586762.tif 000050
【０２２８】
【表２３】
0006586762.tif 000051
【０２２９】
【表２４】
0006586762.tif 000052
0006586762.tif 000053
【０２３０】
【表２５】
0006586762.tif 000054
0006586762.tif 000055
【０２３１】
【表２６】
0006586762.tif 000056
0006586762.tif 000057
【０２３２】
なお、上記表１９〜表２６において、レガシーフォーマットのＤＣＩから追加された部分には網掛けが施されている。
【０２３３】
ここで、ＭＣＳ及びＭｏｄｕｌａｔｉｏｎ  Ｏｒｄｅｒに関しては、自身宛の信号に適用されているＭＣＳ及びＭｏｄｕｌａｔｉｏｎ  Ｏｒｄｅｒに対する差分の形で通知することが望ましい。これにより、ＭＣＳ及びＭｏｄｕｌａｔｉｏｎ  Ｏｒｄｅｒを通知する場合の、ＤＣＩのサイズ（即ち、通知のために用いるビット数）を小さくすることができる。このような通知例について、図３０を参照して説明する。
【０２３４】
図３０は、本実施形態に係る送信パラメータの通知例を説明するための図である。横軸はリソースブロックであり、縦軸は電力レベルであり、インデックスが小さい電力レイヤほど電力レベルが高い。電力レイヤの各々の色（ハッチング）の違いは、割り当てられるユーザの違いを示すものとする。図３０に示す例では、割り当てられる電力レベルが最大である電力レイヤで信号を送受信する端末装置２００に対して、自身に割り当てられたＭＣＳ＝０が通知される。一方で、割り当てられる電力レベルが最大でない電力レイヤで信号を送受信する端末装置２００に対して、自身に割り当てられたＭＣＳ＝１０、及び干渉除去の対象である、電力レイヤ＃０とのＭＣＳの差分ＭＣＳ＿Ｄｉｆｆ＝−７が通知される。
【０２３５】
ここで、差分がゼロ以下の値を示すように、送信パラメータが制限されてもよい。つまり、電力が大きい方の電力レイヤの信号のＭＣＳ又はＭｏｄｕｌａｔｉｏｎ  Ｏｒｄｅｒが、電力が小さい方の電力レイヤの信号のＭＣＳ又はＭｏｄｕｌａｔｉｏｎ  Ｏｒｄｅｒよりも低くなるよう、送信パラメータが制限されてもよい。ＳＰＣを用いて信号が多重される場合、電力レベルの大きいレイヤを割当てられる装置は、電力レベルの小さいレイヤを割当てられる装置より、相対的に大きいパスロス（即ち、遠い距離）にいることが考えられる。そのため、電力レベルの大きいレイヤを割当てられる装置は、電力レベルの小さいレイヤを割当てられる装置より、データレート（又は周波数効率）が低い変調方式及び符号化率等（即ち、ＳＮＲ、ＳＩＮＲに対して安定して受信できるもの）が適用されることが望ましい。このような事情のため、及びＤＣＩのビット数を減らすためには、差分がゼロ以下に制限されることが望ましい。その場合、非現実的なＭＣＳ及びＭｏｄｕｌａｔｉｏｎ  Ｏｒｄｅｒの組み合わせを除くことが可能となる。
【０２３６】
ここで、表２７及び表２８に、ＭＣＳ＿Ｄｉｆｆが表現可能な差分の値の範囲の一例を示した。表２７は、表現可能な差分の値をゼロ以下に制限する場合の範囲の一例である。表２８は、表現可能な差分の値をゼロ以上及びゼロ以下に制限する場合の範囲の一例である。
【０２３７】
【表２７】
0006586762.tif 000058
【０２３８】
【表２８】
0006586762.tif 000059
【０２３９】
＜＜５．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。さらに、基地局１００の少なくとも一部の構成要素は、基地局装置又は基地局装置のためのモジュールにおいて実現されてもよい。
【０２４０】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００の少なくとも一部の構成要素は、これら端末に搭載されるモジュール（例えば、１つのダイで構成される集積回路モジュール）において実現されてもよい。
【０２４１】
＜５．１．基地局に関する応用例＞
（第１の応用例）
図３１は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２４２】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図３１に示したように複数のアンテナ８１０を有し、複数のアンテナ８１０は、例えばｅＮＢ８００が使用する複数の周波数帯域にそれぞれ対応してもよい。なお、図３１にはｅＮＢ８００が複数のアンテナ８１０を有する例を示したが、ｅＮＢ８００は単一のアンテナ８１０を有してもよい。
【０２４３】
基地局装置８２０は、コントローラ８２１、メモリ８２２、ネットワークインタフェース８２３及び無線通信インタフェース８２５を備える。
【０２４４】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２４５】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２４６】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２４７】
無線通信インタフェース８２５は、図３１に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図３１に示したように複数のＲＦ回路８２７を含み、複数のＲＦ回路８２７は、例えば複数のアンテナ素子にそれぞれ対応してもよい。なお、図３１には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２４８】
図３１に示したｅＮＢ８００において、図７を参照して説明した割当部１５１及び通信制御部１５３は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて割当部１５１及び通信制御部１５３が実装されてもよい。この場合に、上記モジュールは、プロセッサを割当部１５１及び通信制御部１５３として機能させるためのプログラム（換言すると、プロセッサに割当部１５１及び通信制御部１５３の動作を実行させるためのプログラム）を記憶し、当該プログラムを実行してもよい。別の例として、プロセッサを割当部１５１及び通信制御部１５３として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、割当部１５１及び通信制御部１５３を備える装置としてｅＮＢ８００、基地局装置８２０又は上記モジュールが提供されてもよく、プロセッサを割当部１５１及び通信制御部１５３として機能させるためのプログラムが提供されてもよい。また、上記プログラムを記録した読み取り可能な記録媒体が提供されてもよい。
【０２４９】
また、図３１に示したｅＮＢ８００において、図７を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０２５０】
（第２の応用例）
図３２は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２５１】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図３２に示したように複数のアンテナ８４０を有し、複数のアンテナ８４０は、例えばｅＮＢ８３０が使用する複数の周波数帯域にそれぞれ対応してもよい。なお、図３２にはｅＮＢ８３０が複数のアンテナ８４０を有する例を示したが、ｅＮＢ８３０は単一のアンテナ８４０を有してもよい。
【０２５２】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図３１を参照して説明したコントローラ８２１、メモリ８２２及びネットワークインタフェース８２３と同様のものである。
【０２５３】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図３１を参照して説明したＢＢプロセッサ８２６と同様のものである。無線通信インタフェース８５５は、図３２に示したように複数のＢＢプロセッサ８５６を含み、複数のＢＢプロセッサ８５６は、例えばｅＮＢ８３０が使用する複数の周波数帯域にそれぞれ対応してもよい。なお、図３２には無線通信インタフェース８５５が複数のＢＢプロセッサ８５６を含む例を示したが、無線通信インタフェース８５５は単一のＢＢプロセッサ８５６を含んでもよい。
【０２５４】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２５５】
また、ＲＲＨ８６０は、接続インタフェース８６１及び無線通信インタフェース８６３を備える。
【０２５６】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２５７】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図３２に示したように複数のＲＦ回路８６４を含み、複数のＲＦ回路８６４は、例えば複数のアンテナ素子にそれぞれ対応してもよい。なお、図３２には無線通信インタフェース８６３が複数のＲＦ回路８６４を含む例を示したが、無線通信インタフェース８６３は単一のＲＦ回路８６４を含んでもよい。
【０２５８】
図３２に示したｅＮＢ８３０において、図７を参照して説明した割当部１５１及び通信制御部１５３は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて割当部１５１及び通信制御部１５３が実装されてもよい。この場合に、上記モジュールは、プロセッサを割当部１５１及び通信制御部１５３として機能させるためのプログラム（換言すると、プロセッサに割当部１５１及び通信制御部１５３の動作を実行させるためのプログラム）を記憶し、当該プログラムを実行してもよい。別の例として、プロセッサを割当部１５１及び通信制御部１５３として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、割当部１５１及び通信制御部１５３を備える装置としてｅＮＢ８３０、基地局装置８５０又は上記モジュールが提供されてもよく、プロセッサを割当部１５１及び通信制御部１５３として機能させるためのプログラムが提供されてもよい。また、上記プログラムを記録した読み取り可能な記録媒体が提供されてもよい。
【０２５９】
また、図３２に示したｅＮＢ８３０において、例えば、図７を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０２６０】
＜５．２．端末装置に関する応用例＞
（第１の応用例）
図３３は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２６１】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２６２】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２６３】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図３３に示したように複数のＢＢプロセッサ９１３及び複数のＲＦ回路９１４を含んでもよい。なお、図３３には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２６４】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２６５】
アンテナスイッチ９１５の各々は、無線通信インタフェース９１２に含まれる複数の回路（例えば、異なる無線通信方式のための回路）の間でアンテナ９１６の接続先を切り替える。
【０２６６】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図３３に示したように複数のアンテナ９１６を有してもよい。なお、図３３にはスマートフォン９００が複数のアンテナ９１６を有する例を示したが、スマートフォン９００は単一のアンテナ９１６を有してもよい。
【０２６７】
さらに、スマートフォン９００は、無線通信方式ごとにアンテナ９１６を備えてもよい。その場合に、アンテナスイッチ９１５は、スマートフォン９００の構成から省略されてもよい。
【０２６８】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図３３に示したスマートフォン９００の各ブロックへ電力を供給する。補助コントローラ９１９は、例えば、スリープモードにおいて、スマートフォン９００の必要最低限の機能を動作させる。
【０２６９】
図３３に示したスマートフォン９００において、図８を参照して説明した判定部２４１及び通信制御部２４３は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて判定部２４１及び通信制御部２４３が実装されてもよい。この場合に、上記モジュールは、プロセッサを判定部２４１及び通信制御部２４３として機能させるためのプログラム（換言すると、プロセッサに判定部２４１及び通信制御部２４３の動作を実行させるためのプログラム）を記憶し、当該プログラムを実行してもよい。別の例として、プロセッサを判定部２４１及び通信制御部２４３として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、判定部２４１及び通信制御部２４３を備える装置としてスマートフォン９００又は上記モジュールが提供されてもよく、プロセッサを判定部２４１及び通信制御部２４３として機能させるためのプログラムが提供されてもよい。また、上記プログラムを記録した読み取り可能な記録媒体が提供されてもよい。
【０２７０】
また、図３３に示したスマートフォン９００において、例えば、図８を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０２７１】
（第２の応用例）
図３４は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２７２】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２７３】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２７４】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２７５】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図３４に示したように複数のＢＢプロセッサ９３４及び複数のＲＦ回路９３５を含んでもよい。なお、図３４には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２７６】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２７７】
アンテナスイッチ９３６の各々は、無線通信インタフェース９３３に含まれる複数の回路（例えば、異なる無線通信方式のための回路）の間でアンテナ９３７の接続先を切り替える。
【０２７８】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図３４に示したように複数のアンテナ９３７を有してもよい。なお、図３４にはカーナビゲーション装置９２０が複数のアンテナ９３７を有する例を示したが、カーナビゲーション装置９２０は単一のアンテナ９３７を有してもよい。
【０２７９】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２８０】
バッテリー９３８は、図中に破線で部分的に示した給電ラインを介して、図３４に示したカーナビゲーション装置９２０の各ブロックへ電力を供給する。また、バッテリー９３８は、車両側から給電される電力を蓄積する。
【０２８１】
図３４に示したカーナビゲーション装置９２０において、図８を参照して説明した判定部２４１及び通信制御部２４３は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて判定部２４１及び通信制御部２４３が実装されてもよい。この場合に、上記モジュールは、プロセッサを判定部２４１及び通信制御部２４３として機能させるためのプログラム（換言すると、プロセッサに判定部２４１及び通信制御部２４３の動作を実行させるためのプログラム）を記憶し、当該プログラムを実行してもよい。別の例として、プロセッサを判定部２４１及び通信制御部２４３として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、判定部２４１及び通信制御部２４３を備える装置としてカーナビゲーション装置９２０又は上記モジュールが提供されてもよく、プロセッサを判定部２４１及び通信制御部２４３として機能させるためのプログラムが提供されてもよい。また、上記プログラムを記録した読み取り可能な記録媒体が提供されてもよい。
【０２８２】
また、図３４に示したカーナビゲーション装置９２０において、例えば、図８を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０２８３】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、判定部２４１及び通信制御部２４３を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２８４】
＜＜６．まとめ＞＞
以上、図１〜図３４を参照して、本開示の一実施形態について詳細に説明した。上記説明したように、本実施形態に係る送信装置（例えば、基地局１００）は、周波数リソース又は時間リソースの少なくとも一部が重複するリソースブロックが割り当てられる複数の通信装置（例えば、端末装置２００）の少なくとも一部に、少なくとも一部が共通化された送信パラメータを割り当て、共通化された送信パラメータを用いて複数の通信装置への送信処理を制御する。送信パラメータが共通化される場合、受信装置は、干渉除去のために、共通化された送信パラメータを取得すればよい。即ち、受信装置は、干渉除去のために、他の受信装置に割り当てられた送信パラメータの各々を個別に取得することが要されない。そのため、受信装置は、他の受信装置宛てのＤＣＩを読まずとも、受信装置側での干渉除去処理の負荷を軽減することが可能となる。さらに、送信装置が、多重する端末装置２００の各々の送信パラメータを、多重する端末装置２００の各々に送信することが要されないので、ＤＣＩの送受信のための通信負荷が軽減される。
【０２８５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２８６】
例えば、上記実施形態では、非直交多元接続の一例としてＳＰＣに着目して説明したが、本技術はかかる例に限定されない。例えば、上記説明した技術は、ＩＤＭＡ（Interleave  Division  Multiple  Access）等の他の非直交多元接続に関しても同様に適用可能である。
【０２８７】
また、上記実施形態では、共通化された送信パラメータが１種類（割り当てられた電力レベルが最も低い端末装置２００と同一の送信パラメータ、又は所定の送信パラメータ）である例を説明したが、本技術はかかる例に限定されない。例えば、複数通りの共通化された送信パラメータが用いられてもよい。例えば、割り当てられる電力レイヤのインデックスが＃０〜＃５の場合は第１の所定の送信パラメータが割り当てられ、割り当てられる電力レイヤのインデックスが＃６〜＃１０の場合は第２の所定の送信パラメータが割り当てられてもよい。
【０２８８】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０２８９】
また、本明細書の装置（例えば、基地局、基地局装置若しくは基地局装置のためのモジュール、又は、端末装置若しくは端末装置のためのモジュール）に備えられるプロセッサ（例えば、ＣＰＵ、ＤＳＰなど）を上記装置の構成要素（例えば、割当部１５１、通信制御部１５３、判定部２４１及び／又は通信制御部２４３など）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、基地局、基地局装置若しくは基地局装置のためのモジュール、又は、端末装置若しくは端末装置のためのモジュール）も提供されてもよい。また、上記装置の構成要素（例えば、割当部１５１、通信制御部１５３、判定部２４１及び／又は通信制御部２４３など）の動作を含む方法も、本開示に係る技術に含まれる。
【０２９０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２９１】
なお、以下のような構成も本開示の技術的範囲に属する。
（１）
周波数リソース又は時間リソースの少なくとも一部が重複するリソースブロックが割り当てられる複数の信号の少なくとも一部に、少なくとも一部が共通化された送信パラメータを割り当てる割当部と、
前記割当部により割り当てられた前記共通化された送信パラメータを用いて前記複数の信号の送信処理を制御する通信制御部と、
を備える送信装置。
（２）
前記割当部は、前記複数の信号から選択した一の信号に割り当てられる送信パラメータに基づいて前記共通化された送信パラメータを割り当てる、前記（１）に記載の送信装置。
（３）
前記割当部は、前記複数の信号の各々に割り当てられるデータチャネルの電力レベルが最も低い一の信号を選択する、前記（２）に記載の送信装置。
（４）
前記割当部は、前記共通化された送信パラメータとして、選択した一の信号に割り当てられる送信パラメータと同一の送信パラメータを割り当てる、前記（２）又は（３）に記載の送信装置。
（５）
前記割当部は、選択した信号以外の信号に、前記共通化された送信パラメータとして所定の送信パラメータを割り当てる、前記（２）又は（３）に記載の送信装置。
（６）
前記割当部は、割り当てられる電力レベルが高い信号に、当該信号よりも割り当てられる電力レベルが低い他の信号と同一又は低いデータレート又は周波数利用効率が達成されるよう送信パラメータを割り当てる、前記（１）〜（５）のいずれか一項に記載の送信装置。
（７）
前記割当部は、割り当てられる電力レベルが高い信号に、当該信号よりも割り当てられる電力レベルが低い他の信号と同一又は低いＭＣＳ（Modulation  and  Coding  Scheme）を割り当てる、前記（６）に記載の送信装置。
（８）
前記通信制御部は、割り当てられる電力レベルに基づいて送信データの再送制御を行う、前記（１）〜（７）のいずれか一項に記載の送信装置。
（９）
前記通信制御部は、割り当てられる電力レベルが最も低いデータチャネルを用いて初回送信又は再送の送信データを送信する、前記（８）に記載の送信装置。
（１０）
前記通信制御部は、割り当てられる電力レベルが最も低いデータチャネル以外のデータチャネルを用いて初回送信の送信データを送信する、前記（８）又は（９）に記載の送信装置。
（１１）
前記通信制御部は、割り当てられる電力レベルに基づいて送信データの誤り訂正符号化又はレートマッチングに用いられるＲＶ（Redundancy  Version）の設定を行う、前記（１）〜（１０）のいずれか一項に記載の送信装置。
（１２）
前記通信制御部は、割り当てられる電力レベルが最も低いデータチャネルを用いて送信する送信データに、初回送信時又は再送時のＲＶを用いる、前記（１１）に記載の送信装置。
（１３）
前記通信制御部は、割り当てられる電力レベルが最も低いデータチャネル以外のデータチャネルを用いて送信する送信データに、初回送信時のＲＶを用いる、前記（１１）又は（１２）に記載の送信装置。
（１４）
前記割当部は、前記共通化された送信パラメータとして、同一のリソースブロックを割り当てる、前記（１）〜（１３）のいずれか一項に記載の送信装置。
（１５）
前記割当部は、前記共通化された送信パラメータとして、割り当てられる電力レベルが高い信号に、当該信号よりも割り当てられる電力レベルが低い他の信号に割り当てられるリソースブロックを含むリソースブロックを割り当てる、前記（１４）に記載の送信装置。
（１６）
前記割当部は、前記共通化された送信パラメータとして、同一の空間リソースを割り当てる、前記（１）〜（１５）のいずれか一項に記載の送信装置。
（１７）
前記割当部は、前記共通化された送信パラメータとして、同一の空間多重のためのプリコーダを割り当てる、前記（１６）に記載の送信装置。
（１８）
前記通信制御部は、前記共通化された送信パラメータが割り当てられる複数の信号のうち一部に、他の一部と異なるフォーマットの制御情報を用いる、前記（１）〜（１７）のいずれか一項に記載の送信装置。
（１９）
前記通信制御部は、信号に割り当てられる電力レベルに応じたフォーマットの制御情報を用いる、前記（１８）に記載の送信装置。
（２０）
前記通信制御部は、割り当てられる電力レベルが最大でない信号に、干渉除去処理を実行すべきことを示す情報を含むフォーマットの制御情報を用いる、前記（１８）又は（１９）に記載の送信装置。
（２１）
自身宛ての信号に割り当てられた周波数リソース又は時間リソースの少なくとも一部が重複するリソースブロックが割り当てられた他の通信装置宛ての信号に、少なくとも一部が共通化された送信パラメータが用いられたことを判定する判定部と、
前記判定部による判定結果に基づいて他の通信装置宛ての信号を対象とする干渉除去処理を制御する通信制御部と、
を備える受信装置。
（２２）
前記判定部は、制御情報のフォーマットに基づいて判定する、前記（２１）に記載の受信装置。
（２３）
前記通信制御部は、制御情報に干渉除去処理を実行すべきことを示す情報が含まれる場合に、干渉除去処理を実行する、前記（２２）に記載の受信装置。
（２４）
前記判定部は、自身に割り当てられたデータチャネルの電力レベルに基づいて判定する、前記（２２）又は（２３）に記載の受信装置。
（２５）
前記通信制御部は、自身に割り当てられたデータチャネルの電力レベルよりも高い電力レベルが割り当てられた他の通信装置宛ての信号を対象として干渉除去処理を実行する、前記（２１）〜（２４）のいずれか一項に記載の受信装置。
（２６）
前記判定部は、自身宛ての信号に用いられた送信パラメータと少なくとも一部が共通化された送信パラメータが前記他の通信装置宛ての信号に用いられたと判定する、前記（２１）〜（２５）のいずれか一項に記載の受信装置。
（２７）
前記判定部は、所定の送信パラメータが前記他の通信装置宛ての信号に用いられたと判定する、前記（２１）〜（２５）のいずれか一項に記載の受信装置。
（２８）
周波数リソース又は時間リソースの少なくとも一部が重複するリソースブロックが割り当てられる複数の信号の少なくとも一部に、少なくとも一部を共通化された送信パラメータを割り当てることと、
割り当てられた前記共通化された送信パラメータを用いて前記複数の信号の送信処理を制御することと、
を含むプロセッサにより実行される送信方法。
（２９）
自身宛ての信号に割り当てられた周波数リソース又は時間リソースの少なくとも一部が重複するリソースブロックが割り当てられた他の通信装置宛ての信号に、少なくとも一部が共通化された送信パラメータが用いられたことを判定することと、
判定結果に基づいて前記他の通信装置宛ての信号を対象とする干渉除去処理を制御することと、
を含むプロセッサにより実行される受信方法。
（３０）
コンピュータを、
周波数リソース又は時間リソースの少なくとも一部が重複するリソースブロックが割り当てられる複数の信号の少なくとも一部に、少なくとも一部を共通化された送信パラメータを割り当てる割当部と、
前記割当部により割り当てられた前記共通化された送信パラメータを用いて前記複数の信号の送信処理を制御する通信制御部と、
として機能させるためのプログラム。
（３１）
コンピュータを、
自身宛ての信号に割り当てられた周波数リソース又は時間リソースの少なくとも一部が重複するリソースブロックが割り当てられた他の通信装置宛ての信号に、少なくとも一部が共通化された送信パラメータが用いられたことを判定する判定部と、
前記判定部による判定結果に基づいて前記他の通信装置宛ての信号を対象とする干渉除去処理を制御する通信制御部と、
として機能させるためのプログラム。
【符号の説明】
【０２９２】
１        システム
１００    基地局
１１０    アンテナ部
１２０    無線通信部
１３０    ネットワーク通信部
１４０    記憶部
１５０    処理部
１５１    割当部
１５３    通信制御部
２００    端末装置
２１０    アンテナ部
２２０    無線通信部
２３０    記憶部
２４０    処理部
２４１    判定部
２４３    通信制御部
【図１】
0006586762.tif 000060
【図２】
0006586762.tif 000061
【図３】
0006586762.tif 000062
【図４】
0006586762.tif 000063
【図５】
0006586762.tif 000064
【図６】
0006586762.tif 000065
【図７】
0006586762.tif 000066
【図８】
0006586762.tif 000067
【図９】
0006586762.tif 000068
【図１０】
0006586762.tif 000069
【図１１】
0006586762.tif 000070
【図１２】
0006586762.tif 000071
【図１３】
0006586762.tif 000072
【図１４】
0006586762.tif 000073
【図１５】
0006586762.tif 000074
【図１６】
0006586762.tif 000075
【図１７】
0006586762.tif 000076
【図１８】
0006586762.tif 000077
【図１９】
0006586762.tif 000078
【図２０】
0006586762.tif 000079
【図２１】
0006586762.tif 000080
【図２２】
0006586762.tif 000081
【図２３】
0006586762.tif 000082
【図２４】
0006586762.tif 000083
【図２５】
0006586762.tif 000084
【図２６】
0006586762.tif 000085
【図２７】
0006586762.tif 000086
【図２８】
0006586762.tif 000087
【図２９】
0006586762.tif 000088
【図３０】
0006586762.tif 000089
【図３１】
0006586762.tif 000090
【図３２】
0006586762.tif 000091
【図３３】
0006586762.tif 000092
【図３４】
0006586762.tif 000093